(57)【特許請求の範囲】
【請求項１】
本撮影の指示に応じて撮像手段で画像を撮像し、得られた画像を記憶媒体に記録するとともに、再生の指示に応じて前記記憶媒体に記録された画像を表示手段に再生表示する撮像装置において、
人物を登録する人物登録手段と、
前記人物登録手段で登録された人物に対して使用するテンプレートであって、枠状に形成されたテンプレートを個別に登録するテンプレート登録手段と、
前記テンプレート登録手段で登録されたテンプレートを前記人物登録手段で登録された人物に関連づけて記録する登録情報記録手段と、
入力された画像から前記登録情報記録手段に記録されている人物を検出する検出手段と、
前記検出手段で検出された人物に対応するテンプレートを検索する検索手段と、
入力されたテンプレートを入力された画像に合成して合成画像を生成する画像合成手段であって、前記検出手段で検出された人物の顔を前記検出手段で検出された人物に対応する枠状のテンプレートで囲うようにして、前記テンプレートを前記画像に合成する画像合成手段と、
本撮影前に前記撮像手段からスルー画像を取得し、得られたスルー画像を前記検出手段に入力して、前記登録情報記録手段に記録されている人物を検出させるとともに、該検出手段で検出された人物に対応するテンプレートを前記検索手段に検索させ、該検索手段で検索されたテンプレートと前記スルー画像を前記画像合成手段に入力して合成画像を生成させ、生成された合成画像を前記表示手段にスルー表示させるスルー表示制御手段と、
を備えたことを特徴とする撮像装置。
【請求項２】
記録時に、本撮影して得られた撮影画像を前記検出手段に入力して、前記登録情報記録手段に記録されている人物を検出させるとともに、該検出手段で検出された人物に対応するテンプレートを前記検索手段に検索させ、該検索手段で検索されたテンプレートの情報を付加して前記撮影画像を前記記憶媒体に記録する記録制御手段と、
再生時に、再生対象とする画像に付加されたテンプレートの情報を取得して、対応するテンプレートを前記登録情報記録手段から取得し、得られたテンプレートと再生対象とする画像を前記画像合成手段に入力して合成画像を生成させ、生成された合成画像を前記表示手段に再生表示する再生表示制御手段と、
を備えたことを特徴とする請求項１に記載の撮像装置。
【請求項３】
本撮影して得られた撮影画像を前記検出手段に入力して、前記登録情報記録手段に記録されている人物を検出させるとともに、該検出手段で検出された人物に対応するテンプレートを前記検索手段に検索させ、該検索手段で検索されたテンプレートと前記撮影画像を前記画像合成手段に入力して合成画像を生成させ、生成された合成画像を前記記憶媒体に記録する記録制御手段を備えたことを特徴とする請求項１に記載の撮像装置。
【請求項４】
本撮影して得られた撮影画像を前記検出手段に入力して、前記登録情報記録手段に記録されている人物を検出させるとともに、該検出手段で検出された人物に対応するテンプレートを前記検索手段に検索させ、該検索手段で検索されたテンプレートと前記撮影画像を前記画像合成手段に入力して合成画像を生成させ、生成された合成画像を前記表示手段にプレ表示させるプレ表示制御手段と、
前記記憶媒体に記録する画像として、前記撮影画像、前記合成画像、又は、前記撮影画像と前記合成画像の双方のいずれか一つを選択させる選択手段と、
前記選択手段で選択された画像を前記記憶媒体に記録する記録制御手段と、
を備えたことを特徴とする請求項１に記載の撮像装置。
【請求項５】
本撮影の指示に応じて撮像手段で画像を撮像し、得られた画像を記憶媒体に記録するとともに、再生の指示に応じて前記記憶媒体に記録された画像を表示手段に再生表示する撮像装置において、
人物を登録する人物登録手段と、
前記人物登録手段で登録された人物に対して使用する枠状のテンプレートを個別に登録するテンプレート登録手段と、
前記テンプレート登録手段で登録されたテンプレートを前記人物登録手段で登録された人物に関連づけて記録する登録情報記録手段と、
入力された画像から前記登録情報記録手段に記録されている人物を検出する検出手段と、
前記検出手段で検出された人物に対応するテンプレートを検索する検索手段と、
入力されたテンプレートを入力された画像に合成する画像合成手段であって、前記検出手段で検出された人物の顔を前記検出手段で検出された人物に対応する枠状のテンプレートで囲うようにして、前記テンプレートを前記画像に合成する画像合成手段と、
記録時に、本撮影して得られた撮影画像を前記検出手段に入力して、前記登録情報記録手段に記録されている人物を検出させるとともに、該検出手段で検出された人物に対応するテンプレートを前記検索手段に検索させ、該検索手段で検索されたテンプレートの情報を付加して、前記撮影画像を前記記憶媒体に記録する記録制御手段と、
再生時に、再生対象とする画像に付加されたテンプレートの情報を取得して、対応するテンプレートを前記登録情報記録手段から取得し、得られたテンプレートと再生対象とする画像を前記画像合成手段に入力して合成画像を生成させ、生成された合成画像を前記表示手段に再生表示する再生表示制御手段と、
を備えたことを特徴とする撮像装置。
【請求項６】
本撮影の指示に応じて撮像手段で画像を撮像し、得られた画像を記憶媒体に記録するとともに、再生の指示に応じて前記記憶媒体に記録された画像を表示手段に再生表示する撮像装置において、
人物を登録する人物登録手段と、
前記人物登録手段で登録された人物に対して使用する枠状のテンプレートを個別に登録するテンプレート登録手段と、
前記テンプレート登録手段で登録されたテンプレートを前記人物登録手段で登録された人物に関連づけて記録する登録情報記録手段と、
入力された画像から前記登録情報記録手段に記録されている人物を検出する検出手段と、
前記検出手段で検出された人物に対応するテンプレートを検索する検索手段と、
入力されたテンプレートを入力された画像に合成する画像合成手段であって、前記検出手段で検出された人物の顔を前記検出手段で検出された人物に対応する枠状のテンプレートで囲うようにして、前記テンプレートを前記画像に合成する画像合成手段と、
本撮影して得られた撮影画像を前記検出手段に入力して、前記登録情報記録手段に記録されている人物を検出させるとともに、該検出手段で検出された人物に対応するテンプレートを前記検索手段に検索させ、該検索手段で検索されたテンプレートと前記撮影画像を前記画像合成手段に入力して合成画像を生成させ、生成された合成画像を前記記憶媒体に記録する記録制御手段と、
を備えたことを特徴とする撮像装置。
【請求項７】
本撮影の指示に応じて撮像手段で画像を撮像し、得られた画像を記憶媒体に記録するとともに、再生の指示に応じて前記記憶媒体に記録された画像を表示手段に再生表示する撮像装置において、
人物を登録する人物登録手段と、
前記人物登録手段で登録された人物に対して使用する枠状のテンプレートを個別に登録するテンプレート登録手段と、
前記テンプレート登録手段で登録されたテンプレートを前記人物登録手段で登録された人物に関連づけて記録する登録情報記録手段と、
入力された画像から前記登録情報記録手段に記録されている人物を検出する検出手段と、
前記検出手段で検出された人物に対応するテンプレートを検索する検索手段と、
入力されたテンプレートを入力された画像に合成する画像合成手段であって、前記検出手段で検出された人物の顔を前記検出手段で検出された人物に対応する枠状のテンプレートで囲うようにして、前記テンプレートを前記画像に合成する画像合成手段と、
本撮影して得られた撮影画像を前記検出手段に入力して、前記登録情報記録手段に記録されている人物を検出させるとともに、該検出手段で検出された人物に対応するテンプレートを前記検索手段に検索させ、該検索手段で検索されたテンプレートと前記撮影画像を前記画像合成手段に入力して合成画像を生成させ、生成された合成画像を前記表示手段にプレ表示させるプレ表示制御手段と、
前記記憶媒体に記録する画像として、前記撮影画像、前記合成画像、又は、前記撮影画像と前記合成画像の双方のいずれか一つを選択させる選択手段と、
前記選択手段で選択された画像を前記記憶媒体に記録する記録制御手段と、
を備えたことを特徴とする撮像装置。
【請求項８】
前記検出手段で検出された人物の表情を判別する表情判別手段を有し、
前記テンプレート登録手段は、前記人物登録手段で登録された人物に対して特定の表情ごとに使用する枠状のテンプレートを登録し、
前記登録情報記録手段は、前記テンプレート登録手段で登録された表情ごとの枠状のテンプレートを前記人物登録手段で登録された人物に関連づけて記録し、
前記検索手段は、前記検出手段で検出された人物のテンプレートであって、前記表情判別手段で判別された表情に対応するテンプレートを前記登録情報記録手段から検索することを特徴とする請求項１〜７のいずれか一に記載の撮像装置。
【請求項９】
前記表情判別手段で判別する各表情の判別レベルを前記人物登録手段で登録された人物ごとに設定する判別レベル設定手段を備え、
前記登録情報記録手段は、前記テンプレート登録手段で登録された表情ごとのテンプレートを前記人物登録手段で登録された人物に関連づけて記録するとともに、前記判別レベル設定手段で設定された表情ごとの判別レベルを前記人物登録手段で登録された人物に関連づけて記録し、
前記表情判別手段は、前記登録情報記録手段に記録された人物ごとの判別レベルに従って前記検出手段で検出された人物の表情を判別することを特徴とする請求項８に記載の撮像装置。
【請求項１０】
本撮影前に撮像手段から得られた画像を表示手段にスルー表示するスルー画像の表示方法において、
前記撮像手段から画像を取得するステップと、
前記撮像手段から取得した画像からあらかじめ登録された人物を識別するステップと、
人物と、その人物に使用する枠状のテンプレートが規定されたテーブルを参照して、識別された人物に対応するテンプレートを特定するステップと、
特定されたテンプレートを取得するステップと、
取得したテンプレートを前記撮像手段から取得した画像に合成して合成画像を生成するステップであって、前記識別された人物の顔を前記識別された人物に対応する枠状のテンプレートで囲うようにして、前記テンプレートを前記画像に合成するステップと、
生成された合成画像を前記表示手段にスルー表示させるステップと、
からなることを特徴とするスルー画像の表示方法。
【請求項１１】
本撮影して得られた撮影画像の記録方法であって、
記録時は、
前記撮影画像からあらかじめ登録された人物を識別するステップと、
人物と、その人物に使用する枠状のテンプレートが規定されたテーブルを参照して、識別された人物に対応するテンプレートを特定するステップと、
特定したテンプレートの情報を付加して、前記撮影画像を記憶媒体に記録するステップと、
からなり、
再生時は、
再生対象とする画像に付加されたテンプレートの情報を取得するステップと、
取得したテンプレートの情報に基づいて対応するテンプレートを取得するステップと、
取得したテンプレートを再生対象とする画像に合成して合成画像を生成するステップであって、前記識別された人物の顔を前記識別された人物に対応する枠状のテンプレートで囲うようにして、前記テンプレートを前記画像に合成するステップと、
生成された合成画像を表示手段に再生表示するステップと、
からなることを特徴とする撮影画像の記録方法。
【請求項１２】
本撮影して得られた撮影画像の記録方法であって、
前記撮影画像からあらかじめ登録された人物を識別するステップと、
人物と、その人物に使用する枠状のテンプレートが規定されたテーブルを参照して、識別された人物に対応するテンプレートを特定するステップと、
特定したテンプレートを取得するステップと、
取得したテンプレートを前記撮影画像に合成して合成画像を生成するステップであって、前記識別された人物の顔を前記識別された人物に対応する枠状のテンプレートで囲うようにして、前記テンプレートを前記撮影画像に合成するステップと、
生成された合成画像を記憶媒体に記録するステップと、
からなることを特徴とする撮影画像の記録方法。
【請求項１３】
本撮影して得られた撮影画像の記録方法であって、
前記撮影画像からあらかじめ登録された人物を識別するステップと、
人物と、その人物に使用する枠状のテンプレートが規定されたテーブルを参照して、識別された人物に対応するテンプレートを特定するステップと、
特定されたテンプレートを取得するステップと、
取得したテンプレートを前記撮影画像に合成して合成画像を生成するステップであって、前記識別された人物の顔を前記識別された人物に対応する枠状のテンプレートで囲うようにして、前記テンプレートを前記撮影画像に合成するステップと、
生成された合成画像を表示手段に表示するステップと、
記憶媒体に記録する画像として、前記撮影画像、前記合成画像、又は、前記撮影画像と前記合成画像の双方のいずれか一つを選択させるステップと、
選択された画像を前記記憶媒体に記録するステップと、
からなることを特徴とする撮影画像の記録方法。
【発明の詳細な説明】
【技術分野】
【０００１】
本発明は撮像装置、及び、そのスルー画像の表示方法、並びに、撮影画像の記録方法に係り、特に画像から個人を認識する機能と、画像にテンプレートを合成して合成画像を生成する機能とを備えた撮像装置、及び、そのスルー画像の表示方法、並びに、撮影画像の記録方法に関する。
【背景技術】
【０００２】
画像をＣＣＤ等の撮像素子で撮像するデジタルカメラでは、撮像素子で捉えた画像から人物の顔を検出し、検出された顔に露出、ピントが合うように、ＡＥ／ＡＦを行う方法が知られている。
【０００３】
ところで、デジタルカメラには、通常、モニタが備えられており、このモニタには、本撮影前に撮像素子で撮像された画像がスルー表示される。したがって、撮影者は、このモニタにスルー表示された画像（スルー画像）を見れば、撮影しようとする画像の画角やピントを確認できる。
【０００４】
そして、顔の検出機能を備えたデジタルカメラの中には、このスルー画像に重ねて顔の検出枠が表示され、検出された顔が検出枠に囲われて表示されるものもある（たとえば、特許文献１）。したがって、このような機能を備えたデジタルカメラでは、モニタに表示されたスルー画像を見れば、顔の有無を確認できる。
【０００５】
また、撮影により得られた画像をデジタルデータとして記録するデジタルカメラでは、撮影により得られた画像を加工して記録することもでき、撮影により得られた画像に対して、あらかじめ用意したテンプレートを合成して記録するデジタルカメラも提案されている（たとえば、特許文献２）。また、その合成に際して、撮影された人物の感情を判別し、感情に合ったテンプレートを合成して記録するデジタルカメラも提案されている（たとえば、特許文献３）。
【特許文献１】特開２００６−２５２３８号公報
【特許文献２】特開平１１−１６８６８９号公報
【特許文献３】特開２００２−７７５９２号公報
【発明の開示】
【発明が解決しようとする課題】
【０００６】
ところで、顔の検出機能を有するデジタルカメラの場合、上記のように、撮影範囲内で顔が検出されると、検出された顔が検出枠で囲われて表示されるが、撮影範囲内に複数の顔が含まれていると、すべて同じ検出枠で顔が囲われて表示されるため、個人の特定ができないという欠点がある。この結果、撮りたい被写体が含まれているかを瞬時に判別できないという欠点がある。
【０００７】
また、撮影された人物の感情に合ったテンプレートを撮影した画像に合成して記録する機能を有するデジタルカメラの場合、撮影された人物の感情に応じてテンプレートが切り替わるため、テンプレートを見ただけでは、個人の特定ができないという欠点がある。この結果、撮りたい被写体が写されているか、画像から瞬時に判別できないという欠点がある。
【０００８】
本発明はこのような事情に鑑みてなされたもので、簡単に被写体の特定ができ、また、簡単に娯楽性の高い画像を得ることができる撮像装置、及び、そのスルー画像の表示方法、並びに、撮影画像の記録方法を提供することを目的とする。
【課題を解決するための手段】
【０００９】
請求項１に係る発明は、前記目的を達成するために、本撮影の指示に応じて撮像手段で画像を撮像し、得られた画像を記憶媒体に記録するとともに、再生の指示に応じて前記記憶媒体に記録された画像を表示手段に再生表示する撮像装置において、人物を登録する人物登録手段と、前記人物登録手段で登録された人物に対して使用するテンプレートであって、枠状に形成されたテンプレートを個別に登録するテンプレート登録手段と、前記テンプレート登録手段で登録されたテンプレートを前記人物登録手段で登録された人物に関連づけて記録する登録情報記録手段と、入力された画像から前記登録情報記録手段に記録されている人物を検出する検出手段と、前記検出手段で検出された人物に対応するテンプレートを検索する検索手段と、入力されたテンプレートを入力された画像に合成して合成画像を生成する画像合成手段であって、前記検出手段で検出された人物の顔を前記検出手段で検出された人物に対応する枠状のテンプレートで囲うようにして、前記テンプレートを前記画像に合成する画像合成手段と、本撮影前に前記撮像手段からスルー画像を取得し、得られたスルー画像を前記検出手段に入力して、前記登録情報記録手段に記録されている人物を検出させるとともに、該検出手段で検出された人物に対応するテンプレートを前記検索手段に検索させ、該検索手段で検索されたテンプレートと前記スルー画像を前記画像合成手段に入力して合成画像を生成させ、生成された合成画像を前記表示手段にスルー表示させるスルー表示制御手段と、を備えたことを特徴とする撮像装置を提供する。
【００１０】
請求項１に係る発明によれば、あらかじめ人物と、その人物に対して使用するテンプレートを登録しておくと、スルー表示用に撮像された画像から個人が識別され、その個人に対応したテンプレートが合成された画像が表示手段にスルー表示される。これにより、テンプレートを見れば、ただちに個人の特定が可能になり、撮りたい人物が撮影範囲内に含まれているか否か瞬時に判別することが可能になる。
【００１１】
請求項２に係る発明は、前記目的を達成するために、記録時に、本撮影して得られた撮影画像を前記検出手段に入力して、前記登録情報記録手段に記録されている人物を検出させるとともに、該検出手段で検出された人物に対応するテンプレートを前記検索手段に検索させ、該検索手段で検索されたテンプレートの情報を付加して前記撮影画像を前記記憶媒体に記録する記録制御手段と、再生時に、再生対象とする画像に付加されたテンプレートの情報を取得して、対応するテンプレートを前記登録情報記録手段から取得し、得られたテンプレートと再生対象とする画像を前記画像合成手段に入力して合成画像を生成させ、生成された合成画像を前記表示手段に再生表示する再生表示制御手段と、を備えたことを特徴とする請求項１に記載の撮像装置を提供する。
【００１２】
請求項２に係る発明によれば、記録時に、本撮影して得られた撮影画像から個人が識別され、その個人に対応するテンプレートの情報が付加されて、撮影画像が記憶媒体に記録される。そして、再生時は、再生対象とする画像に付加されたテンプレートの情報から対応するテンプレートが特定され、特定されたテンプレートが再生対象とする画像に合成されて、表示手段に再生表示される。これにより、テンプレートを見れば、ただちに個人の特定が可能になり、撮りたい人物が撮られているか瞬時に判別することが可能になる。また、個別にテンプレートが合成されるため、得られた画像の娯楽性を高めることができる。
【００１３】
請求項３に係る発明は、前記目的を達成するために、本撮影して得られた撮影画像を前記検出手段に入力して、前記登録情報記録手段に記録されている人物を検出させるとともに、該検出手段で検出された人物に対応するテンプレートを前記検索手段に検索させ、該検索手段で検索されたテンプレートと前記撮影画像を前記画像合成手段に入力して合成画像を生成させ、生成された合成画像を前記記憶媒体に記録する記録制御手段を備えたことを特徴とする請求項１に記載の撮像装置を提供する。
【００１４】
請求項３に係る発明によれば、本撮影して得られた撮影画像から個人が識別され、その個人に対応するテンプレートが撮影画像に合成される。そして、その合成画像が記憶媒体に記録される。これにより、当該画像の再生時は、合成画像が表示されるので、その合成画像に表示されたテンプレートを見れば、ただちに個人の特定が可能になる。また、個別にテンプレートが合成されるため、得られた画像の娯楽性を高めることができる。
【００１５】
請求項４に係る発明は、前記目的を達成するために、本撮影して得られた撮影画像を前記検出手段に入力して、前記登録情報記録手段に記録されている人物を検出させるとともに、該検出手段で検出された人物に対応するテンプレートを前記検索手段に検索させ、該検索手段で検索されたテンプレートと前記撮影画像を前記画像合成手段に入力して合成画像を生成させ、生成された合成画像を前記表示手段にプレ表示させるプレ表示制御手段と、前記記憶媒体に記録する画像として、前記撮影画像、前記合成画像、又は、前記撮影画像と前記合成画像の双方のいずれか一つを選択させる選択手段と、前記選択手段で選択された画像を前記記憶媒体に記録する記録制御手段と、を備えたことを特徴とする請求項１に記載の撮像装置を提供する。
【００１６】
請求項４に係る発明によれば、本撮影して得られた撮影画像から個人が識別され、その個人に対応するテンプレートが撮影画像に合成される。そして、その合成画像が表示手段に表示される。撮影者は、この表示手段に表示された合成画像を確認した上で合成画像を記録するか、撮影画像（合成前の原画像）を記録するか、あるいは、その双方を記録するかを選択する。そして、その選択に従って画像が記憶媒体に記録される。これにより、撮影者の好みの画像だけを残すことができる。また、記録前に合成画像がプレ表示されるので、その合成画像に表示されたテンプレートを見れば、ただちに個人の特定が可能になる。
【００１７】
請求項５に係る発明は、前記目的を達成するために、本撮影の指示に応じて撮像手段で画像を撮像し、得られた画像を記憶媒体に記録するとともに、再生の指示に応じて前記記憶媒体に記録された画像を表示手段に再生表示する撮像装置において、人物を登録する人物登録手段と、前記人物登録手段で登録された人物に対して使用する枠状のテンプレートを個別に登録するテンプレート登録手段と、前記テンプレート登録手段で登録されたテンプレートを前記人物登録手段で登録された人物に関連づけて記録する登録情報記録手段と、入力された画像から前記登録情報記録手段に記録されている人物を検出する検出手段と、前記検出手段で検出された人物に対応するテンプレートを検索する検索手段と、入力されたテンプレートを入力された画像に合成する画像合成手段であって、前記検出手段で検出された人物の顔を前記検出手段で検出された人物に対応する枠状のテンプレートで囲うようにして、前記テンプレートを前記画像に合成する画像合成手段と、記録時に、本撮影して得られた撮影画像を前記検出手段に入力して、前記登録情報記録手段に記録されている人物を検出させるとともに、該検出手段で検出された人物に対応するテンプレートを前記検索手段に検索させ、該検索手段で検索されたテンプレートの情報を付加して、前記撮影画像を前記記憶媒体に記録する記録制御手段と、再生時に、再生対象とする画像に付加されたテンプレートの情報を取得して、対応するテンプレートを前記登録情報記録手段から取得し、得られたテンプレートと再生対象とする画像を前記画像合成手段に入力して合成画像を生成させ、生成された合成画像を前記表示手段に再生表示する再生表示制御手段と、を備えたことを特徴とする撮像装置を提供する。
【００１８】
請求項５に係る発明によれば、記録時に、本撮影して得られた撮影画像から個人が識別され、その個人に対応するテンプレートの情報が付加されて、撮影画像が記憶媒体に記録される。そして、再生時は、再生対象とする画像に付加されたテンプレートの情報から対応するテンプレートが特定され、特定されたテンプレートが再生対象とする画像に合成されて、表示手段に再生表示される。これにより、テンプレートを見れば、ただちに個人の特定が可能になり、撮りたい人物が撮られているか瞬時に判別することが可能になる。また、個別にテンプレートが合成されるため、得られた画像の娯楽性を高めることができる。
【００１９】
請求項６に係る発明は、前記目的を達成するために、本撮影の指示に応じて撮像手段で画像を撮像し、得られた画像を記憶媒体に記録するとともに、再生の指示に応じて前記記憶媒体に記録された画像を表示手段に再生表示する撮像装置において、人物を登録する人物登録手段と、前記人物登録手段で登録された人物に対して使用する枠状のテンプレートを個別に登録するテンプレート登録手段と、前記テンプレート登録手段で登録されたテンプレートを前記人物登録手段で登録された人物に関連づけて記録する登録情報記録手段と、入力された画像から前記登録情報記録手段に記録されている人物を検出する検出手段と、前記検出手段で検出された人物に対応するテンプレートを検索する検索手段と、入力されたテンプレートを入力された画像に合成する画像合成手段であって、前記検出手段で検出された人物の顔を前記検出手段で検出された人物に対応する枠状のテンプレートで囲うようにして、前記テンプレートを前記画像に合成する画像合成手段と、本撮影して得られた撮影画像を前記検出手段に入力して、前記登録情報記録手段に記録されている人物を検出させるとともに、該検出手段で検出された人物に対応するテンプレートを前記検索手段に検索させ、該検索手段で検索されたテンプレートと前記撮影画像を前記画像合成手段に入力して合成画像を生成させ、生成された合成画像を前記記憶媒体に記録する記録制御手段と、を備えたことを特徴とする撮像装置を提供する。
【００２０】
請求項６に係る発明によれば、本撮影して得られた撮影画像から個人が識別され、その個人に対応するテンプレートが撮影画像に合成される。そして、その合成画像が記憶媒体に記録される。これにより、当該画像の再生時は、合成画像が表示されるので、その合成画像に表示されたテンプレートを見れば、ただちに個人の特定が可能になる。また、個別にテンプレートが合成されるため、得られた画像の娯楽性を高めることができる。
【００２１】
請求項７に係る発明は、前記目的を達成するために、本撮影の指示に応じて撮像手段で画像を撮像し、得られた画像を記憶媒体に記録するとともに、再生の指示に応じて前記記憶媒体に記録された画像を表示手段に再生表示する撮像装置において、人物を登録する人物登録手段と、前記人物登録手段で登録された人物に対して使用する枠状のテンプレートを個別に登録するテンプレート登録手段と、前記テンプレート登録手段で登録されたテンプレートを前記人物登録手段で登録された人物に関連づけて記録する登録情報記録手段と、入力された画像から前記登録情報記録手段に記録されている人物を検出する検出手段と、前記検出手段で検出された人物に対応するテンプレートを検索する検索手段と、入力されたテンプレートを入力された画像に合成する画像合成手段であって、前記検出手段で検出された人物の顔を前記検出手段で検出された人物に対応する枠状のテンプレートで囲うようにして、前記テンプレートを前記画像に合成する画像合成手段と、本撮影して得られた撮影画像を前記検出手段に入力して、前記登録情報記録手段に記録されている人物を検出させるとともに、該検出手段で検出された人物に対応するテンプレートを前記検索手段に検索させ、該検索手段で検索されたテンプレートと前記撮影画像を前記画像合成手段に入力して合成画像を生成させ、生成された合成画像を前記表示手段にプレ表示させるプレ表示制御手段と、前記記憶媒体に記録する画像として、前記撮影画像、前記合成画像、又は、前記撮影画像と前記合成画像の双方のいずれか一つを選択させる選択手段と、前記選択手段で選択された画像を前記記憶媒体に記録する記録制御手段と、を備えたことを特徴とする撮像装置を提供する。
【００２２】
請求項７に係る発明によれば、本撮影して得られた撮影画像から個人が識別され、その個人に対応するテンプレートが撮影画像に合成される。そして、その合成画像が表示手段に表示される。撮影者は、この表示手段に表示された合成画像を確認した上で合成画像を記録するか、撮影画像（合成前の原画像）を記録するか、あるいは、その双方を記録するかを選択する。そして、その選択に従って画像が記憶媒体に記録される。これにより、撮影者の好みの画像だけを残すことができる。また、記録前に合成画像がプレ表示されるので、その合成画像に表示されたテンプレートを見れば、ただちに個人の特定が可能になる。
【００２３】
請求項８に係る発明は、前記目的を達成するために、前記検出手段で検出された人物の表情を判別する表情判別手段を有し、前記テンプレート登録手段は、前記人物登録手段で登録された人物に対して特定の表情ごとに使用する枠状のテンプレートを登録し、前記登録情報記録手段は、前記テンプレート登録手段で登録された表情ごとの枠状のテンプレートを前記人物登録手段で登録された人物に関連づけて記録し、前記検索手段は、前記検出手段で検出された人物のテンプレートであって、前記表情判別手段で判別された表情に対応するテンプレートを前記登録情報記録手段から検索することを特徴とする請求項１〜７のいずれか一に記載の撮像装置を提供する。
【００２４】
請求項８に係る発明によれば、登録された人物に対して特定の表情ごとに使用するテンプレートが登録される。そして、使用するテンプレートの検索時には、画像から識別された個人の表情が判別され、その表情に対応するテンプレートが検索される。これにより、個人ごとに加えて、表情に応じてもテンプレートが切り替わるため、テンプレートを見ただけで、個人とその表情の識別が可能になる。
【００２５】
請求項９に係る発明は、前記目的を達成するために、前記表情判別手段で判別する各表情の判別レベルを前記人物登録手段で登録された人物ごとに設定する判別レベル設定手段を備え、前記登録情報記録手段は、前記テンプレート登録手段で登録された表情ごとのテンプレートを前記人物登録手段で登録された人物に関連づけて記録するとともに、前記判別レベル設定手段で設定された表情ごとの判別レベルを前記人物登録手段で登録された人物に関連づけて記録し、前記表情判別手段は、前記登録情報記録手段に記録された人物ごとの判別レベルに従って前記検出手段で検出された人物の表情を判別することを特徴とする請求項８に記載の撮像装置を提供する。
【００２６】
請求項９に係る発明によれば、表情の判別レベルを個別に調整することができる。これにより、判別精度を向上させることができる。
【００２９】
請求項１０に係る発明は、前記目的を達成するために、本撮影前に撮像手段から得られた画像を表示手段にスルー表示するスルー画像の表示方法において、前記撮像手段から画像を取得するステップと、前記撮像手段から取得した画像からあらかじめ登録された人物を識別するステップと、人物と、その人物に使用する枠状のテンプレートが規定されたテーブルを参照して、識別された人物に対応するテンプレートを特定するステップと、特定されたテンプレートを取得するステップと、取得したテンプレートを前記撮像手段から取得した画像に合成して合成画像を生成するステップであって、前記識別された人物の顔を前記識別された人物に対応する枠状のテンプレートで囲うようにして、前記テンプレートを前記画像に合成するステップと、生成された合成画像を前記表示手段にスルー表示させるステップと、からなることを特徴とするスルー画像の表示方法を提供する。
【００３０】
請求項１０に係る発明によれば、あらかじめ人物と、その人物に対して使用するテンプレートを登録しておくと、スルー表示用に撮像された画像から個人が識別され、その個人に対応したテンプレートが合成された画像が表示手段にスルー表示される。これにより、テンプレートを見れば、ただちに個人の特定が可能になり、撮りたい人物が撮影範囲内に含まれているか否か瞬時に判別することが可能になる。
【００３１】
請求項１１に係る発明は、前記目的を達成するために、本撮影して得られた撮影画像の記録方法であって、記録時は、前記撮影画像からあらかじめ登録された人物を識別するステップと、人物と、その人物に使用する枠状のテンプレートが規定されたテーブルを参照して、識別された人物に対応するテンプレートを特定するステップと、特定したテンプレートの情報を付加して、前記撮影画像を記憶媒体に記録するステップと、からなり、再生時は、再生対象とする画像に付加されたテンプレートの情報を取得するステップと、取得したテンプレートの情報に基づいて対応するテンプレートを取得するステップと、取得したテンプレートを再生対象とする画像に合成して合成画像を生成するステップであって、前記識別された人物の顔を前記識別された人物に対応する枠状のテンプレートで囲うようにして、前記テンプレートを前記画像に合成するステップと、生成された合成画像を表示手段に再生表示するステップと、からなることを特徴とする撮影画像の記録方法を提供する。
【００３２】
請求項１１に係る発明によれば、記録時に、本撮影して得られた撮影画像から個人が識別され、その個人に対応するテンプレートの情報が付加されて、撮影画像が記憶媒体に記録される。そして、再生時は、再生対象とする画像に付加されたテンプレートの情報から対応するテンプレートが特定され、特定されたテンプレートが再生対象とする画像に合成されて、表示手段に再生表示される。これにより、テンプレートを見れば、ただちに個人の特定が可能になり、撮りたい人物が撮られているか瞬時に判別することが可能になる。また、個別にテンプレートが合成されるため、得られた画像の娯楽性を高めることができる。
【００３３】
請求項１２に係る発明は、前記目的を達成するために、本撮影して得られた撮影画像の記録方法であって、前記撮影画像からあらかじめ登録された人物を識別するステップと、人物と、その人物に使用する枠状のテンプレートが規定されたテーブルを参照して、識別された人物に対応するテンプレートを特定するステップと、特定したテンプレートを取得するステップと、取得したテンプレートを前記撮影画像に合成して合成画像を生成するステップであって、前記識別された人物の顔を前記識別された人物に対応する枠状のテンプレートで囲うようにして、前記テンプレートを前記撮影画像に合成するステップと、生成された合成画像を記憶媒体に記録するステップと、からなることを特徴とする撮影画像の記録方法を提供する。
【００３４】
請求項１２に係る発明によれば、本撮影して得られた撮影画像から個人が識別され、その個人に対応するテンプレートが撮影画像に合成される。そして、その合成画像が記憶媒体に記録される。これにより、当該画像の再生時は、合成画像が表示されるので、その合成画像に表示されたテンプレートを見れば、ただちに個人の特定が可能になる。また、個別にテンプレートが合成されるため、得られた画像の娯楽性を高めることができる。
【００３５】
請求項１３に係る発明は、前記目的を達成するために、本撮影して得られた撮影画像の記録方法であって、前記撮影画像からあらかじめ登録された人物を識別するステップと、人物と、その人物に使用する枠状のテンプレートが規定されたテーブルを参照して、識別された人物に対応するテンプレートを特定するステップと、特定されたテンプレートを取得するステップと、取得したテンプレートを前記撮影画像に合成して合成画像を生成するステップであって、前記識別された人物の顔を前記識別された人物に対応する枠状のテンプレートで囲うようにして、前記テンプレートを前記撮影画像に合成するステップと、生成された合成画像を表示手段に表示するステップと、記憶媒体に記録する画像として、前記撮影画像、前記合成画像、又は、前記撮影画像と前記合成画像の双方のいずれか一つを選択させるステップと、選択された画像を前記記憶媒体に記録するステップと、からなることを特徴とする撮影画像の記録方法提供する。
【００３６】
請求項１３に係る発明によれば、本撮影して得られた撮影画像から個人が識別され、その個人に対応するテンプレートが撮影画像に合成される。そして、その合成画像が表示手段に表示される。撮影者は、この表示手段に表示された合成画像を確認した上で合成画像を記録するか、撮影画像（合成前の原画像）を記録するか、あるいは、その双方を記録するかを選択する。そして、その選択に従って画像が記憶媒体に記録される。これにより、撮影者の好みの画像だけを残すことができる。また、記録前に合成画像がプレ表示されるので、その合成画像に表示されたテンプレートを見れば、ただちに個人の特定が可能になる。
【発明の効果】
【００３７】
本発明によれば、簡単に被写体の特定ができ、また、簡単に娯楽性の高い画像を得ることができる。
【発明を実施するための最良の形態】
【００３８】
以下、添付図面を参照して本発明に係る撮像装置、及び、そのスルー画像の表示方法、並びに、撮影画像の記録方法を実施するための最良の形態について説明する。
【００３９】
図１は、本発明が適用されたデジタルカメラ１の電気的構成を示すブロック図である。
【００４０】
同図に示すように、このデジタルカメラ１は、ＣＰＵ１０、操作部１２、ＲＯＭ１４、ＲＡＭ１６、ＥＥＰＲＯＭ１８、ＶＲＡＭ２０、撮影光学系２４、撮像素子３０、タイミングジェネレータ３２、アナログ信号処理部３４、Ａ／Ｄコンバータ３６、画像入力コントローラ３８、画像信号処理部４０、圧縮／伸張処理部４２、メディアコントローラ４４、メモリカード４６、表示制御部４８、モニタ５０、ＡＥ検出部５２、ＡＦ検出部５４、顔検出部５６、個人識別部５８、テンプレート選択部６０、画像合成部６２、ストロボ制御部６４、ストロボ６６、電源制御部６８、バッテリ７０等で構成されている。
【００４１】
ＣＰＵ１０は、カメラの全体の動作を統括制御する制御手段であって、操作部１２からの入力に基づき所定の制御プログラムに従ってデジタルカメラ１の各部を制御する。
【００４２】
ＲＯＭ１４には、このＣＰＵ１０が実行する制御プログラム及び制御に必要な各種データ等が格納されており、バス２２を介してＣＰＵ１０と接続されている。
【００４３】
また、不揮発性メモリであるＥＥＰＲＯＭ１８には、ユーザ固有の各種設定情報が格納される。
【００４４】
ＲＡＭ１６は、ＣＰＵ１０の作業用領域として利用されるとともに、画像データの一時記憶領域として利用される。
【００４５】
また、ＶＲＡＭ２０は、表示用の画像データ専用の一時記憶領域として利用される。
【００４６】
操作部１２は、電源をＯＮ／ＯＦＦする電源スイッチや本撮影の指示を入力するレリーズボタン、テレ／ワイドのズームを指示するズームボタン、カメラのモードを撮影モードと再生モードに切り替えるモード切替スイッチの他、メニューボタン、十字ボタン、ＯＫボタン、キャンセルボタン等の各種操作手段を含み、これら操作手段の操作に応じた信号をＣＰＵ１０に出力する。
【００４７】
撮影光学系２４は、ＡＦズームレンズで構成されており、ズームを行うズームレンズ２４ｚと、焦点合わせを行うフォーカスレンズ２４ｆと、光量調節を行う絞り２４ｉを含んで構成されている。
【００４８】
ズームレンズ２４ｚは、ズームモータ２６ｚに駆動されて、光軸上を前後移動し、これにより、撮像素子３０の受光面上に結像される被写体像が光学的に変倍される。ＣＰＵ１０は、ズームモータドライバ２８ｚを介してズームモータ２６ｚの駆動を制御することにより、ズームレンズ２４ｚの移動を制御し、ズームを制御する。
【００４９】
フォーカスレンズ２４ｆは、フォーカスモータ２６ｆに駆動されて、光軸上を前後移動し、これにより、焦点合わせが行われる。ＣＰＵ１０は、フォーカスモータドライバ２８ｆを介してフォーカスモータ２６ｆの駆動を制御することにより、フォーカスレンズ２４ｆの移動を制御し、焦点合わせを行う。
【００５０】
絞り２４ｉは、たとえば、アイリス絞りで構成され、アイリスモータ２６ｉに駆動されて、その開口量が変化する。ＣＰＵ１０は、アイリスモータドライバ２８ｉを介してアイリスモータ２６ｉの駆動を制御することにより、絞り１４ｉの開口量を制御し、撮像素子３０の受光面に入射する光量を制御する。
【００５１】
撮像素子３０は、ＲＧＢ所定のカラーフィルタ配列のＣＣＤイメージセンサで構成されており、タイミングジェネレータ（ＴＧ）３２に駆動されて動作する。すなわち、タイミングジェネレータ３２から与えられる駆動パルスによって、各画素（フォトセンサ）に蓄積された信号電荷を読み出し、画像信号として出力する。ＣＰＵ１０は、このタイミングジェネレータ３２の駆動を制御することにより、撮像素子３０の電荷蓄積時間（シャッタスピード）、画像信号の読み出しを制御する。
【００５２】
アナログ信号処理部３４は、撮像素子３０から出力されたアナログの画像信号に対して相関二重サンプリング処理を行い、増幅して出力する。
【００５３】
Ａ／Ｄコンバータ３６は、アナログ信号処理部３４から出力されたアナログの画像信号をデジタル画像信号に変換して出力する。
【００５４】
画像入力コントローラ３８は、所定容量のラインバッファを内蔵しており、ＣＰＵ１０の制御の下、Ａ／Ｄコンバータ３６から出力された１コマ分の画像信号を蓄積して、ＲＡＭ１６に格納する。
【００５５】
画像信号処理部４０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１０からの指令に従い、画像入力コントローラ３８を介してＲＡＭ１６に格納された画像信号を取り込み、所要の信号処理を施して輝度信号（Ｙ）と色差信号（Ｃｒ，Ｃｂ）とからなる画像信号（Ｙ／Ｃ信号）を生成する。生成された画像信号はＲＡＭ１６及びＶＲＡＭ２０に格納される。
【００５６】
圧縮／伸張処理部４２は、ＣＰＵ１０からの指令に従い、画像信号処理部４０で生成されたＹ／Ｃ信号をＲＡＭ１６から取り込み、所定の圧縮処理を施して、所定形式（たとえば、ＪＰＥＧ）の圧縮画像データを生成する。また、ＣＰＵ１０からの指令に従って圧縮画像データを取り込み、所定の伸張処理を施して、非圧縮のＹ／Ｃ信号を生成する。
【００５７】
メディアコントローラ４４は、ＣＰＵ１０からの指令に従い、メモリカード４６に対してデータの読み／書きを行う。たとえば、ＣＰＵ１０からの記録指示に応じて、撮影により得られた画像データをメモリカード４６に記録する。また、読み出し指示に応じて、メモリカード４６に記録されている画像データを読み出す。
【００５８】
メモリカード（記憶媒体）４６は、カメラ本体に設けられたカードスロットに着脱自在に装填される。なお、画像記録用の記憶媒体としては、この他、カメラ本体に内蔵されたものを用いるようにしてもよい。この場合、カメラ本体にはＵＳＢ等の通信インターフェースを設け、該通信インターフェースを用いて記憶媒体に記録されたデータの読み出しを行うように構成する。
【００５９】
表示制御部４８は、ＣＰＵ１０からの指令に従い、モニタ５０の表示を制御する。モニタ５０は、たとえば、カラーＬＣＤで構成される。表示制御部４８は、ＣＰＵ１１０からの指令に従い、ＶＲＡＭ２０からＹ／Ｃ信号を取り込み、所定の信号形式に変換して、モニタ５０に出力する。また、表示制御部４８は、キャラクタージェンレータを含み、ＣＰＵ１０からの指令に従い、画像信号に所定の文字、図形、記号等の情報をスーパーインポーズして出力する。
【００６０】
なお、本実施の形態のカメラにおいて、モニタ５０は、撮影済み画像の再生表示だけに用いられるのではなく、このモニタ５０の表示を利用して各種設定が行われる。また、撮影時は、このモニタ５０に撮像素子３０で捉えた画像がスルー表示される。したがって、撮影者は、このモニタ５０にスルー表示される画像（スルー画像）を見ることにより、画角の調整やピント状態の確認を行うことができる。
【００６１】
ＡＥ検出部５２は、ＣＰＵ１０からの指令に従い、画像入力コントローラ３８を介してＲＡＭ１６に格納された画像信号を取り込み、ＡＥ制御に必要な積算値を算出する。すなわち、１画面を複数のエリア（たとえば８×８）に分割し、分割したエリアごとにＲ、Ｇ、Ｂごとの画像信号の積算値を算出する。ＡＥ制御時、ＣＰＵ１０は、このＡＥ検出部５２から得た積算値に基づいて被写体の明るさを求め、撮影に適した露出値（ＥＶ値）を算出する。そして、所定のプログラム線図に従い、算出したＥＶ値から絞り値とシャッタスピードを決定する。
【００６２】
ＡＦ検出部５４は、ＣＰＵ１０の指令に従い、画像入力コントローラ３８を介してＲＡＭ１６に格納されたＲ、Ｇ、Ｂの画像信号を取り込み、ＡＦ制御に必要な焦点評価値を算出する。このＡＦ検出部５４は、Ｇ信号の高周波成分のみを通過させるハイパスフィルタ、絶対値化処理部、画面に設定された所定のフォーカス領域内の信号を切り出すフォーカス領域抽出部、及び、フォーカス領域内の絶対値データを積算する積算部を含み、この積算部で積算されたフォーカス領域内の絶対値データを焦点評価値としてＣＰＵ１０に出力する。ＡＦ制御時、ＣＰＵ１０は、このＡＦ検出部５４から出力される焦点評価値が極大となる位置をサーチし、その位置にフォーカスレンズ２４ｆを移動させることにより、主要被写体に焦点を合わせる。
【００６３】
顔検出部５６は、ＣＰＵ１０からの指令に従い、画像信号処理部４０で生成されたＹ／Ｃ信号を取り込み、撮影により得られた画像から人物の顔領域を検出する。
【００６４】
なお、画像から顔を検出する技術については、種々の公知技術が存在するので、これら公知の顔検出技術を採用して、顔検出を行うことができる。たとえば、顔テンプレートとのパターンマッチングによる方法や原画像から肌色データを抽出し、肌色範囲と判断された測光点のクラスタを顔として抽出する方法、測光データを色相と彩度に変換し、変換した色相・彩度の二次元ヒストグラムを作成し、解析することで、顔領域を判断する方法、人の顔の形状に相当する顔候補領域を抽出し、その領域内の特徴量から顔領域を決定する方法、画像から人の顔の輪郭を抽出し、顔領域を決定する方法等を用いることができる。
【００６５】
個人識別部５８は、ＣＰＵ１０からの指令に従い、顔検出部５６で顔が検出された画像から個人を識別する。すなわち、顔検出部５６で顔が検出されると、ＣＰＵ１０の指示の下、画像信号処理部４０で生成されたＹ／Ｃ信号を取り込み、所要の画像解析を行って、個人を識別する。より具体的には、顔検出部５６で検出された顔の人物が、あらかじめ登録された人物であるか否かを判別し、個人認証を行う。
【００６６】
なお、二次元画像データから個人認証を行う方法については、種々の公知技術が存在するので、これら公知の個人認証技術を用いて、個人の識別を行うことができる。たとえば、二次元の顔画像データから特徴点を抽出し、抽出した特徴点を用いて位置合わせと正規化を行ってからパターン照合法等により照合する方法等を用いることができる。
【００６７】
テンプレート選択部６０は、ＣＰＵ１０の指示に従い、個人識別部５８による識別結果に基づいて、顔の検出枠として使用するテンプレートを選択する。すなわち、個人識別部５８で識別された人物のテンプレートをデータベースから検索し、特定する。
【００６８】
このデータベースは、図２に示すように、個人（登録者名）と、個人識別部５８でその個人を識別するための情報（個人識別用データ）と、その個人に使用するテンプレートの情報とが互いに関連づけられて記録されており、ＥＥＰＲＯＭ１８に格納されている。
【００６９】
ここで、同図に示すように、各テンプレートは、枠状に形成されており、このテンプレートで人物の顔を囲うように合成される。なお、本願でいう「枠状」は、必ずしも枠が環状に閉じられているものに限定されず、対象物（顔）の周囲を囲うようにデザインされているものすべてが含まれるものとする。したがって、カギカッコ状に形成されたものも本願では枠に含まれる。
【００７０】
テンプレート選択部６０は、このデータベースから個人識別部５８で識別された人物に対応するテンプレートを検索し、その結果をＣＰＵ１０に出力する。
【００７１】
なお、個人識別部５８は、このデータベースに記録された個人識別用データを利用して、画像から個人を識別（認証）する。
【００７２】
また、後述するように、このデータベースは、ユーザが所要の登録作業を行うことにより生成される。
【００７３】
画像合成部６２は、ＣＰＵ１０の指示の下、画像データとテンプレートデータを取り込み、取り込んだテンプレートを画像に合成して、所定の合成画像を生成する。図３は、この画像合成部６２による画像合成の一例を示す図である。同図に示すように、画像合成部６２は、原画像に写されている人物の顔をテンプレートで囲うようにして、原画像にテンプレートを合成する。ＣＰＵ１０は、テンプレート選択部６０で選択されたテンプレートのデータと、そのテンプレートを合成する原画像のデータとを画像合成部６２に加える。また、顔検出部５６による検出結果に基づいて合成するテンプレートの大きさ、及び、位置を算出し、画像合成部６２に指示する。画像合成部６２は、このＣＰＵ１０からの指示に応じて、テンプレートに所要の変形処理を施して、原画像にテンプレートを合成する。
【００７４】
ストロボ制御部６４は、ＣＰＵ１０からの指令に従ってストロボ６６の発光を制御する。
【００７５】
電源制御部６８は、ＣＰＵ１０からの指令に従い、カメラ本体に装填されたバッテリ７０から各部への電源の供給を制御する。
【００７６】
本実施の形態のデジタルカメラ１は以上のように構成される。
【００７７】
次に、本実施の形態のデジタルカメラ１の作用について説明する。
【００７８】
上記のように、本実施の形態のデジタルカメラ１では、撮影時にモニタ５０にスルー画像が表示される。この際、カメラのモードが個人識別モードに設定されていると、スルー画像で個人認証が行われ、認証された人物に対応する枠（テンプレート）で画像中の顔部分が囲われてスルー画像が表示される。すなわち、画像中に人物の顔が写されている場合、個人ごとに異なる枠で人物の顔が囲われてスルー画像が表示される。
【００７９】
まず、本実施の形態のデジタルカメラ１における基本的な撮影、記録の処理動作、及び、記録済み画像の再生処理動作について説明する。
【００８０】
操作部１２によって、カメラの電源を投入し、撮影モードに設定すると、デジタルカメラ１は、画像の撮影、記録が可能になる。
【００８１】
撮影モードに設定されると、まず、モニタ５０にスルー画像が表示される。すなわち、撮像素子３０で連続的に画像が撮像され、その画像信号からＹ／Ｃ信号が連続的に生成される。生成されたＹ／Ｃ信号は、ＶＲＡＭ２０を介して順次表示制御部４８に加えられ、表示用の信号形式に変換されてモニタ５０に出力される。これにより、撮像素子３０で捉えた画像がモニタ５０にスルー表示される。
【００８２】
撮影者は、このモニタ５０に表示されたスルー画像を見て構図を決定し、レリーズボタンを半押しする。
【００８３】
レリーズボタンが半押しされると、ＣＰＵ１０にＳ１ＯＮ信号が入力される。ＣＰＵ１０は、このＳ１ＯＮ信号に応動して、撮影準備、すなわち、ＡＥ、ＡＦの各処理を実行する。
【００８４】
まず、撮像素子３０から出力された画像信号をアナログ信号処理部３４、Ａ／Ｄコンバータ３６、画像入力コントローラ３８を介してＲＡＭ１６に取り込み、ＡＥ検出部５２及びＡＦ検出部５４に加える。
【００８５】
ＡＥ検出部５２は、入力された画像信号からＡＥ制御に必要な積算値を算出し、ＣＰＵ１０に出力する。ＣＰＵ１０は、このＡＥ検出部５２から得られた積算値から被写体の明るさを求め、撮像ＥＶを算出する。そして、所定のプログラム線図に従って撮像ＥＶ値から本撮影時の絞り値とシャッタスピードを決定する。
【００８６】
また、ＡＦ検出部５４は、入力された画像信号から焦点評価値を算出し、ＣＰＵ１０に出力する。ＣＰＵ１０は、このＡＦ検出部１５４からの出力に基づきフォーカスレンズモータ２６ｆの駆動を制御し、フォーカスレンズ２４ｆの移動を制御して、主要被写体に焦点を合わせる。
【００８７】
撮影者は、モニタ５０に表示されるスルー画像を確認してピント状態等を確認する。また、必要に応じてズームボタンを操作し、構図を決定する。そして、撮影したい被写体にピントが合い、構図が決定したら、本撮影の実行を指示する。すなわち、レリーズボタンを全押しする。
【００８８】
レリーズボタンが全押しされると、ＣＰＵ１０にＳ２ＯＮ信号が入力される。ＣＰＵ１０は、このＳ２ＯＮ信号に応動して、撮影、記録の処理を実行する。
【００８９】
まず、上記のＡＥ処理で求めた絞り値、シャッタスピードで撮像素子３０を露光し、記録用の画像信号の取り込みを行う。
【００９０】
撮像素子３０から出力された一コマ分の画像信号は、アナログ信号処理部３４、Ａ／Ｄコンバータ３６を介して画像入力コントローラ３８に取り込まれ、ＲＡＭ１６に格納される。ＲＡＭ１６に格納された画像信号は、ＣＰＵ１０の制御の下、画像信号処理部４０に加えられる。画像信号処理部４０は、入力された画像信号に所定の信号処理を施して、輝度信号（Ｙ）と色差信号（Ｃｒ、Ｃｂ）とからなる画像信号（Ｙ／Ｃ信号）を生成する。
【００９１】
画像信号処理部４０で生成されたＹ／Ｃ信号は、一旦ＲＡＭ１６に格納されたのち、圧縮／伸張処理部４２に加えられる。圧縮／伸張処理部４２は、このＹ／Ｃ信号に対して所定の圧縮処理を施し、所定形式の圧縮画像データを生成する。
【００９２】
圧縮／伸張処理部４２で生成された圧縮画像データは、ＲＡＭ１６に格納される。ＣＰＵ１０は、このＲＡＭ１６に格納された圧縮画像データに所定の付属情報（絞り値やシャッタスピード、感度等の撮影条件や撮影日時等の撮影に関する種々の情報）を付加した所定フォーマットの静止画像ファイル（たとえば、Ｅｘｉｆ）を生成し、メディアコントローラ４４を介してメモリカード４６に記録する。
【００９３】
なお、圧縮処理は、必ずしも必要な処理ではなく、ユーザの選択により、非圧縮の状態で記録される。また、ユーザの選択により、いわゆるＲＡＷデータとして記録される。
【００９４】
以上が本実施の形態のデジタルカメラ１における基本的な撮影、記録の処理動作である。そして、以上のようにしてメモリカード４６に記録された画像は、デジタルカメラ１のモードを再生モードに設定することにより、モニタ５０に再生表示することができる。
【００９５】
操作部１２により、カメラのモードが再生モードに設定されると、ＣＰＵ１０は、メディアコントローラ４４を介してメモリカード４６に最後に記録された画像ファイルの圧縮画像データを読み出す。
【００９６】
メモリカード４６から読み出された圧縮画像データは、圧縮／伸張処理部４２に加えられ、非圧縮の画像データとされたのちＶＲＡＭ２０に加えられる。そして、ＶＲＡＭ２０から表示制御部４８を介してモニタ５０に出力される。これにより、メモリカード４６に記録されている画像がモニタ５０に再生表示される。
【００９７】
画像のコマ送りは、たとえば、操作部１２に備えられた十字ボタンの左右のキー操作で行なわれ、右キーが操作されると、次の画像ファイルの圧縮画像データがメモリカード４６から読み出され、モニタ５０に再生表示される。また、十字ボタンの左キーが操作されると、一つ前の画像ファイルの圧縮画像データがメモリカード４６から読み出され、モニタ５０に再生表示される。
【００９８】
以上のようにして、メモリカード４６に記録された画像の再生処理が行われる。
【００９９】
さて、上記のように、本実施の形態のデジタルカメラ１では、個人識別モードに設定すると、個人ごとに異なる枠で顔が囲われてモニタ５０にスルー画像が表示される。
【０１００】
以下、この個人識別モード時における本実施の形態のデジタルカメラ１のスルー画像の表示処理の手順について説明する。
【０１０１】
個人認証は、あらかじめ登録された人物の中から個人を特定することにより行われる。したがって、認証（識別）すべき人物を登録する必要がある。まず、この個人認証を行う人物を登録する手順について説明する。
【０１０２】
図４は、個人認証を行う人物の登録処理の手順を示すフローチャートである。
【０１０３】
まず、カメラのモードを登録モードに設定する（ステップＳ１０）。この処理は、メニュー画面で行われる。すなわち、操作部１２に備えられたメニューボタンを押下すると、モニタ５０にメニュー画面が表示され、そのメニュー画面に表示されたメニュー項目の中から「登録」の項目を選択することにより行われる。なお、登録モードへの切り替え方法については、これに限定されるものではなく、専用の切替スイッチ等を設けて、登録モードへの切り替えを行うようにしてもよい。
【０１０４】
ＣＰＵ１０は、メニュー画面で登録の項目が選択されると、カメラのモードを登録モードに移行させる。
【０１０５】
登録モードに設定されると、まず、登録すべき人物の顔写真の撮影が行われる（ステップＳ１１）。この際、モニタ５０には、登録すべき人物の顔の撮影を促すメッセーが表示される。ユーザは、このモニタ５０の表示に従って登録すべき人物の顔画像を撮影する。なお、撮影の処理自体は、通常の撮影の処理と同じである。すなわち、レリーズボタンの半押しで撮影準備が行われ、全押しで撮影が行われる。
【０１０６】
レリーズボタンが全押しされて、登録すべき人物の顔の撮影が行われると、撮影された画像に基づいて個人識別用のデータが生成される（ステップＳ１２）。すなわち、個人識別部５８で個人識別用に利用する特徴量等のデータが生成される。
【０１０７】
なお、この個人識別用のデータの生成に先立って、撮影により得られた画像から顔の検出が行われる。そして、撮影された画像から顔が検出されない場合は、撮り直しを促すメッセージがモニタ５０に表示される。  
【０１０８】
個人識別用のデータが生成されると、登録すべき人物の個人情報の入力が行われる（ステップＳ１３）。ここでは、登録者の名前の入力が行われる。入力は、モニタ５０の表示に従って操作部１２を利用して行われる。なお、登録者の名前は自動的に付与されるようにすることもできる。たとえば、登録した順に番号を自動で付与するようにしてもよい。あるいは、あらかじめ要した番号をユーザが選択して登録するようにしてもよい。
【０１０９】
個人情報の入力が行われると、その人物に対して使用するテンプレートの選択が行われる（ステップＳ１４）。テンプレートは、あらかじめ複数種類のものが用意されており、ＥＥＰＲＯＭ１８に格納されている。ユーザは、このあらかじめ用意された複数のテンプレートの中から、登録しようとする人物に使用するテンプレートを選択する。
【０１１０】
このテンプレートの選択処理は、たとえば、あらかじめ用意されたテンプレートをモニタ５０に一覧表示させ、あるいは、順次切り替えて表示させ（たとえば、十字ボタンの左右のキー操作で表示の切り替えを指示）、その中の一つをユーザに選択させることにより行われる。
【０１１１】
以上のようにして、登録すべき人物の撮影、個人情報の入力、テンプレートの選択が行われると、これらの情報がデータベースに記録されて、データベースが更新される（ステップＳ１５）。すなわち、登録された人物に対して、識別用データと、画像合成に使用するテンプレートの情報が関連づけられて、データベースに記録される。
【０１１２】
以上一連の工程で認証すべき人物の登録作業が完了する。
【０１１３】
次に、個人識別モード時におけるスルー画像の表示処理の手順について説明する。
【０１１４】
ここで、個人識別モードの設定は撮影メニューで行われる。すなわち、撮影モードの下、操作部１２でメニューボタンを押下すると、モニタ５０に撮影メニューが表示され、その撮影メニューの中から個人識別モードのＯＮ／ＯＦＦの項目を選択すると、個人識別モードのＯＮ／ＯＦＦが設定できるようにされている。ユーザは、必要に応じて撮影メニューを読み出し、個人識別モードの設定をＯＮ／ＯＦＦすることにより、個人識別モードの有効／無効を設定することができる。なお、個人識別モードの有効／無効を設定する方法は、これに限定されず、専用の切り替えボタンをカメラボディに設けて、設定を切り替えるようにしてもよい。
【０１１５】
図５は、個人識別モード時におけるスルー画像の表示処理の手順を示すフローチャートである。
【０１１６】
まず、モニタ５０にスルー表示するための画像の取り込みが行われる（ステップＳ２０）。
【０１１７】
撮像素子３０から取り込まれたスルー表示用の画像データは、画像信号処理部４０でＹ／Ｃデータとされた後、一旦ＲＡＭ１６に格納されたのち、ＣＰＵ１０の制御の下、顔検出部５６に加えられる。そして、この顔検出部５６において、画像中から人物の顔の検出が行われる（ステップＳ２１）。すなわち、画像中に存在する人物の顔領域の検出が行われる。この検出結果はＣＰＵ１０に出力される。
【０１１８】
ＣＰＵ１０は、この顔検出部５６による顔検出の結果に基づいて顔の有無を判定する（ステップＳ２２）。そして、顔が検出されていると判定すると、スルー表示用に取り込まれた画像（Ｙ／Ｃデータ）を個人識別部５８に加えて、個人認証を行わせる（ステップＳ２３）。個人識別部５８は、データベースに記録された個人識別用データを利用して、登録された人物の個人認証を行う。すなわち、登録されている人物が画像から検出する。この個人認証の結果（該当者の有無と、該当者ありの場合は、その人物の登録者情報（登録者名））は、ＣＰＵ１０に出力される。
【０１１９】
ＣＰＵ１０は、この個人識別部５８における個人認証の結果に基づいて該当者の有無を判定する（ステップＳ２４）。すなわち、登録された人物が画像中に含まれているか否かを判定する。
【０１２０】
この判定の結果、登録された人物が画像中に含まれていると判定すると、ＣＰＵ１０は、その個人識別部５８による識別結果の情報（識別された人物の登録者情報）をテンプレート選択部６０に加える。テンプレート選択部６０は、入力された登録者情報に基づいて、該当する人物のテンプレートの情報をデータベースから検索し、その結果をＣＰＵ１０に出力する（ステップＳ２５）。
【０１２１】
ＣＰＵ１０は、得られたテンプレート情報に基づいて使用するテンプレートを特定し、スルー表示用に取り込んだ画像データとともに、画像合成部６２に入力する。また、顔検出部５６による顔検出結果に基づいて合成するテンプレートの大きさ（枠の大きさ）、及び、合成する位置を算出する。そして、その情報を画像合成部６２に入力する。画像合成部６２は、このＣＰＵ１０からの指示に応じて、テンプレートに所要の変形処理を施し、スルー表示用に取り込まれた画像に合成する（ステップＳ２７）。
【０１２２】
なお、ステップＳ２４において、該当する人物がいないと判定すると（画像に登録された人物が含まれていないと判定すると）、ＣＰＵ１０は、あらかじめ用意された標準のテンプレートを選択し（ステップＳ２６）、スルー表示用に取り込んだ画像データとともに、画像合成部６２に入力する。また、顔検出部５６による顔検出結果に基づいて合成するテンプレートの大きさ（枠の大きさ）、及び、合成する位置を算出する。そして、その情報を画像合成部６２に入力する。画像合成部６２は、このＣＰＵ１０からの指示に応じて、テンプレートに所要の変形処理を施し、スルー表示用に取り込まれた画像に合成する（ステップＳ２７）。
【０１２３】
合成された画像はＶＲＡＭ２０に加えられ、ＶＲＡＭ２０から表示制御部４８を介してモニタ５０に出力される（ステップＳ２８）。これにより、検出された顔部分が枠で囲われたスルー画像がモニタ５０に表示される（顔検出時のみ）。
【０１２４】
この際、登録された人物が画像に含まれている場合は、その人物に固有の枠（テンプレート）で顔部分が囲われて表示される。これにより、撮影者はモニタ５０の表示を確認するだけで、直ちに特定の人物が写されていることを認識することができる。
【０１２５】
なお、ステップＳ２２において、画像から顔が検出されていないと判定された場合は、テンプレートの合成処理は行われず、そのまま撮像素子３０から取り込まれた画像がモニタ５０に表示される。
【０１２６】
図６は、モニタへのスルー画像の表示例を示している。同図（ａ）、（ｂ）に示すように、画像中にあらかじめ登録された人物が含まれていると（図３参照）、その人物に対応する枠（テンプレート）で顔が囲われて表示される。一方、登録されていない人物の場合は、標準の枠（ここでは、装飾無しの線のみの枠）によって、顔が囲われて表示される。同図（ｄ）は、画像中から複数の人物の顔が検出された場合の表示例を示しており、同図に示すように、画像から複数の人物の顔が検出された場合は、そのそれぞれに対応した枠によって顔が囲われて表示される。
【０１２７】
ＣＰＵ１０は、この後、操作部１２からの入力に基づいて、本撮影が指示されたか否かを判定する（ステップＳ２９）。すなわち、レリーズボタンが全押しされて、Ｓ２ＯＮ信号が入力されたか否かを判定する。
【０１２８】
そして、本撮影が指示されたと判定すると、本撮影の処理を行い（ステップＳ３０）、撮影により得られた画像をメモリカード４６に記録する（ステップＳ３１）。
【０１２９】
一方、本撮影の指示がなされていないと判定すると、ステップＳ２０に戻り、再度スルー表示用の画像データの取り込みを行い、上記ステップＳ２０〜Ｓ２９の処理を実行する。
【０１３０】
以上説明したように、本実施の形態のデジタルカメラ１では、個人識別モードに設定すると、スルー画像からあらかじめ登録された人物が検出され、あらかじめ登録された人物が検出されると、その人物の顔が、その人物に固有の枠（テンプレート）で囲われて表示される。これにより、撮影者はモニタ５０の表示を確認するだけで、直ちに特定の人物が写されていることを確認することができる。これにより、効率よく特定の人物の撮影を行うことができるようになる。また、撮影に対する娯楽性も向上させることができる。
【０１３１】
なお、上記実施の形態では、顔が検出された場合、登録されていな人物に対しても枠（標準のテンプレート）が表示されるようにしているが、登録された人物に対してのみ枠を表示させるようにしてもよい。
【０１３２】
また、上記実施の形態では、各人物に対して使用するテンプレートをあらかじめ用意されたテンプレートの中から選択するようにしているが、ユーザが任意にデザインできるようにしてもよい。たとえば、複数のパーツを用意し、そのパーツを組み合わせて好みのテンプレートを作成できるようにしてもよい。また、他の機器からテンプレートの情報をダウンロードして、適宜付きかできるようにしてもよい（たとえば、デジタルカメラをパソコンと接続可能に構成し、パソコンからテンプレートのデータを適時ダウンロードして、使用可能なテンプレートを増減できるようにしてもよい。）。
【０１３３】
次に本発明が適用されたデジタルカメラの第２の実施の形態について説明する。
【０１３４】
上記実施の形態（第１の実施の形態）のデジタルカメラ１では、あらかじめ登録された人物ごとに顔を囲う枠（テンプレート）を切り替えていた。本実施の形態のデジタルカメラでは、更にその人物の表情に応じて顔を囲う枠を切り替える。
【０１３５】
図７は第２の実施の形態のデジタルカメラの電気的構成を示すブロック図である。
【０１３６】
同図に示すように、本実施の形態のデジタルカメラ１ａは、表情判別部７２を更に有する点で上述した第１の実施の形態のデジタルカメラ１と相違している。したがって、ここでは、この表情判別部７２の構成についてのみ説明する。
【０１３７】
表情判別部７２は、ＣＰＵ１０の制御の下、顔検出部５６で顔が検出され、個人識別部５８で個人が識別された画像を取り込み、所要の画像解析を行って、そこに写されている人物の表情（たとえば、怒り、嫌悪、恐怖、喜び、悲しみ、驚き、無表情等)を判別する。
【０１３８】
画像に写されている人物の顔の表情（感情）を判別（認識）する技術については、種々の公知技術が存在するので、これら公知技術を用いて、表情の判別を行うことができる。たとえば、目や口などの顔器官に設定した特徴点の位置関係を示す特徴量を算出し、その特徴量から表情を推定する。
【０１３９】
なお、本実施の形態のデジタルカメラ１ａでは、表情に応じて枠（テンプレート）が切り替えられるので、図８に示すように、各人物ごとに使用するテンプレートも表情ごとに登録される。すなわち、登録された各人物に対して表情ごとに使用するテンプレートが設定される。なお、本例では、怒り、喜び、悲しみ、驚きの各表情についてテンプレートを登録するものとする。図８は、この４つの表情についてテンプレートを登録した場合のデータベースの例が示されている。ユーザは、人物の登録時に各表情について使用するテンプレートを選択し、設定する。
【０１４０】
図９は本実施の形態のデジタルカメラ１ａにおけるスルー画像の表示処理の手順を示すフローチャートである。
【０１４１】
なお、上記第１の実施の形態のデジタルカメラ１と同様、本実施の形態のデジタルカメラ１ａにおいても、個人識別モードに設定された場合にのみ顔部分に個人の表情に対応した枠が表示される。
【０１４２】
まず、モニタ５０にスルー表示するための画像の取り込みが行われ（ステップＳ４０）、顔検出部５６に加えられる。そして、この顔検出部５６において、画像中から人物の顔の検出が行われる（ステップＳ４１）。
【０１４３】
ＣＰＵ１０は、この顔検出部５６による顔検出の結果に基づいて顔の有無を判定する（ステップＳ４２）。そして、顔が検出されていると判定すると、スルー表示用に取り込まれた画像（Ｙ／Ｃデータ）を個人識別部５８に加えて、個人認証を行わせる（ステップＳ４３）。
【０１４４】
ＣＰＵ１０は、この個人識別部５８における個人認証の結果に基づいて該当者の有無を判定する（ステップＳ４４）。この判定の結果、登録された人物が画像中に含まれていると判定すると、ＣＰＵ１０は、スルー表示用に取り込まれた画像（Ｙ／Ｃデータ）を表情判別部７２に加えて、表情の判別を行わせる（ステップＳ４５）。この表情判別部７２による表情の判別結果は、ＣＰＵ１０に出力される。
【０１４５】
ＣＰＵ１０は、表情判別部７２による表情の判別結果の情報（表情の情報）と個人識別部５８による識別結果の情報（識別結果された人物の登録者情報）をテンプレート選択部６０に加える。テンプレート選択部６０は、入力された登録者情報と表情の情報に基づいて、該当する人物の表情に対応するテンプレートの情報をデータベースから検索し、その結果をＣＰＵ１０に出力する（ステップＳ４６）。
【０１４６】
ＣＰＵ１０は、得られたテンプレート情報に基づいて使用するテンプレートを特定し、スルー表示用に取り込んだ画像データとともに、画像合成部６２に入力する。また、顔検出部５６による顔検出結果に基づいて合成するテンプレートの大きさ（枠の大きさ）、及び、合成する位置を算出する。そして、その情報を画像合成部６２に入力する。画像合成部６２は、このＣＰＵ１０からの指示に応じて、テンプレートに所要の変形処理を施し、スルー表示用に取り込まれた画像に合成する（ステップＳ４８）。
【０１４７】
なお、ステップＳ４４において、該当する人物がいないと判定すると（画像に登録された人物が含まれていないと判定すると）、ＣＰＵ１０は、あらかじめ用意された標準のテンプレートを選択し（ステップＳ４７）、スルー表示用に取り込んだ画像データとともに、画像合成部６２に入力する。また、顔検出部５６による顔検出結果に基づいて合成するテンプレートの大きさ（枠の大きさ）、及び、合成する位置を算出する。そして、その情報を画像合成部６２に入力する。画像合成部６２は、このＣＰＵ１０からの指示に応じて、テンプレートに所要の変形処理を施し、スルー表示用に取り込まれた画像に合成する（ステップＳ４８）。
【０１４８】
合成された画像はＶＲＡＭ２０に加えられ、ＶＲＡＭ２０から表示制御部４８を介してモニタ５０に出力される（ステップＳ４９）。これにより、検出された顔部分が枠で囲われたスルー画像がモニタ５０に表示される（顔検出時のみ）。
【０１４９】
この際、登録された人物が画像に含まれている場合は、その人物に固有の枠（テンプレート）であって表情に対応した枠で顔部分が囲われて表示される。これにより、撮影者はモニタ５０の表示を確認するだけで、直ちに特定の人物が写されていることを認識することができ、かつ、その表情も確認することができる。
【０１５０】
なお、ステップＳ４２において、画像から顔が検出されていないと判定された場合は、テンプレートの合成処理は行われず、そのまま撮像素子５０から取り込まれた画像がモニタ５０に表示される。
【０１５１】
図１０は、モニタ５０へのスルー画像の表示例を示している。
【０１５２】
同図（ａ）は、画像中から登録した人物（００１）が認識され、喜びの表情が認識された場合の表示例を示している。この場合、人物（００１）の喜びの表情に対応したテンプレート（templet002）が選択され、このテンプレート（templet002）で顔部分が囲われるように合成される。
【０１５３】
同図（ｂ）は、画像中から登録した人物（００２）が認識され、怒りの表情が認識された場合の表示例を示している。この場合、人物（００２）の怒りの表情に対応したテンプレート（templet031）がデータベースから選択され、このテンプレート（templet031）で顔部分が囲われるように合成される。
【０１５４】
同図（ｃ）は、画像中から登録した人物（００３）が認識され、悲しみの表情が認識された場合の表示例を示している。この場合、人物（００４）の悲しみの表情に対応したテンプレート（templet078）がデータベースから選択され、このテンプレート（templet078）で顔部分が囲われるように合成される。
【０１５５】
同図（ｄ）は、画像中から登録した人物（００４）が認識され、驚きの表情が認識された場合の表示例を示している。この場合、人物（００４）の驚きの表情に対応したテンプレート（templet049）がデータベースから選択され、このテンプレート（templet049）で顔部分が囲われるように合成される。
【０１５６】
なお、登録されていない人物の場合は、標準の枠によって、顔が囲われて表示される（図６（ｃ）参照）。
【０１５７】
また、画像中から複数の人物の顔が検出された場合は、図１１に示すように、そのそれぞれについて、対応した枠によって顔が囲われて表示される。なお、同図に示す例では、画像から登録した人物（００１）、（００４）の二人と、未登録の人物一人が認識され、登録した人物（００１）には喜びの表情、人物（００４）には、驚きの表情が認識された場合の例が示されている。この場合、登録した人物（００１）には、喜び表情に対応したテンプレート（templet002）がデータベースから選択され、このテンプレート（templet002）で顔部分が囲われるように合成される。また、人物（００４）には、驚きの表情に対応したテンプレート（templet049）がデータベースから選択され、このテンプレート（templet049）で顔部分が囲われるように合成される。また、未登録の人物には、標準のテンプレートで顔部分が囲われるように合成される。
【０１５８】
このように、あらかじめ登録した人物に対しては、表情に対応した枠（テンプレート）で顔が囲われて、スルー画像が表示される。
【０１５９】
ＣＰＵ１０は、この後、操作部１２からの入力に基づいて、本撮影が指示されたか否かを判定する（ステップＳ５０）。そして、本撮影が指示されたと判定すると、本撮影の処理を行い（ステップＳ５１）、撮影により得られた画像をメモリカード４６に記録する（ステップＳ５２）。
【０１６０】
一方、本撮影の指示がなされていないと判定すると、ステップＳ４０に戻り、再度スルー表示用の画像データの取り込みを行い、上記ステップＳ４０〜Ｓ５０の処理を実行する。
【０１６１】
以上説明したように、本実施の形態のデジタルカメラ１では、個人識別モードに設定すると、スルー画像からあらかじめ登録された人物が検出され、あらかじめ登録された人物が検出されると、更にその表情が判別され、その人物の表情に対応した枠（テンプレート）で顔部分が囲われて表示される。これにより、撮影者はモニタ５０の表示を確認するだけで、直ちに特定の人物が写されていることを確認することができ、かつ、その表情も確認することができる。これにより、効率よく特定の人物の撮影を行うことができるようになる。また、撮影に対する娯楽性も向上させることができる。たとえば、プリントサービスなどに出すことにより、さらに楽しみを増すことができる。
【０１６２】
なお、本実施の形態のデジタルカメラでは、登録された人物の表情を判別しているが、このように表情を判別する場合、各人物ごとに各表情の判別レベルを設定することにより、より精度の高い表情の判別を行うことができるようになる。すなわち、喜びの表情で写されていることが多い人物の場合は、喜びの表情と判別されやすいように、喜びの表情の判別レベルを通常の喜びの表情のレベルよりも下げるように設定する。同様に怒りの表情で写されていることが多い人物は、怒りの表情と判別されやすいように、怒りの表情の判別レベルを通常の怒りの表情の判別レベル下げるように設定する。これにより、表情の判別精度を向上させることができ、適切にテンプレートを選択することができるようになる。
【０１６３】
したがって、各人物に対する各表情の判別レベルを個別に設定できるようにすることが好ましい。
【０１６４】
表情の判別レベルの設定操作は、たとえば、メニュー画面で表情の判別レベルの項目を用意し、当該項目を選択することにより、モニタ上で行うことができるようにする。
【０１６５】
図１２は、表情の判別レベルの設定画面の表示例を示している。この例では、喜び、怒り、悲しみ、驚きの各表情に設けられたボリュームレバーを上下動させて、各表情の判別レベルを設定する。なお、この場合、バーの中央が通常の判別レベルであり、ボリュームレバーを上にシフトさせるほど、その表情の判別レベルが下がるように設定される（その表情と判別されやすいように設定される。）。たとえば、喜びの表情のボリュームレバーを中央より上側にシフトさせると、そのシフト量に応じて通常の喜びの表情の判別レベルよりも判別レベルが下げられる（喜びの表情と判別されやすくなる）。逆にボリュームレバーを中央より下側にシフトさせると、そのシフト量に応じて通常の喜びの表情の判別レベルよりも判別レベルが上げられる（喜びの表情と判別されにくくなる）。このようにして、登録した各人物について、各表情ごとにその表情の判別レベルを個別に設定する。
【０１６６】
なお、表情の判別レベルを設定する場合は、まず、設定すべき人物を選択し、その後、その人物の各表情の判別レベルを設定する。
【０１６７】
設定すべき人物の切り替えは、たとえば、十字ボタンの左右キーで行い、ＯＫボタンを押下すると、確定するように構成する。また、ボリュームレバーの移動は、たとえば、十字ボタンの上下キーで行い、設定する表情の切り替えは、十字ボタンの左右のキーで行う。設定完了は、ＯＫボタンを押下することにより行い、設定された情報は、ＥＥＰＲＯＭ１８に記録される。
【０１６８】
なお、この設定例は一例であり、これ以外の方法で各表情の判別レベルを設定することもできる。
【０１６９】
また、上記の例では、喜び、怒り、悲しみ、驚きの４つの表情の判別レベルを設定できるようにしているが、設定を可能にする表情の判別レベルは、表情判別部７２で判別する表情に合わせられる。
【０１７０】
次に本発明が適用されたデジタルカメラの第３の実施の形態について説明する。
【０１７１】
本実施の形態のデジタルカメラは、本撮影された画像に対して個人認証を行い、あらかじめ登録された人物が含まれている場合は、その人物に固有のテンプレートを撮影画像に合成して合成画像を生成し、その合成画像をメモリカードに記録する。
【０１７２】
なお、カメラの構成や認識すべき人物の登録方法については、上述した第１の実施の形態のデジタルカメラ１と同じなので、ここでは、撮影後の画像の記録処理の方法についてのみ説明する。
【０１７３】
なお、この処理はカメラを専用のモード（テンプレート合成モード）に設定した場合についてのみ行われる。すなわち、このテンプレート合成モードに設定された場合にのみ、撮影画像に対してテンプレートの合成処理が行われる。
【０１７４】
ここで、テンプレート合成モードの設定は撮影メニューで行われる。すなわち、撮影モードの下、操作部１２でメニューボタンを押下すると、モニタ５０に撮影メニューが表示され、その撮影メニューの中からテンプレート合成モードのＯＮ／ＯＦＦの項目を選択すると、テンプレート合成モードをＯＮ／ＯＦＦできるようにされている。ユーザは、必要に応じて撮影メニューを読み出し、テンプレート合成モードの設定をＯＮ／ＯＦＦすることにより、テンプレート合成モードの有効／無効を設定することができる。なお、テンプレート合成モードの有効／無効を設定する方法は、これに限定されず、専用の切り替えボタンをカメラボディに設けて、設定を切り替えるようにしてもよい。
【０１７５】
図１３は、テンプレート合成モード時におけるデジタルカメラの撮影、記録の処理動作の手順を示すフローチャートである。
【０１７６】
ユーザが本撮影を行うと（ステップＳ６０）、まず、その本撮影により得られた画像（撮影画像）から顔画像の検出が行われる（ステップＳ６１）。
【０１７７】
この場合、まず、本撮影により得られた画像信号から画像信号処理部４０でＹ／Ｃ信号が生成され、生成されたＹ／Ｃ信号はＲＡＭ１６に一旦格納され、ＲＡＭ１６から顔検出部５６に加えられる。顔検出部５６は、入力されたＹ／Ｃ信号から顔領域を検出し、その結果をＣＰＵ１０に出力する。
【０１７８】
ＣＰＵ１０は、顔検出部５６による顔検出の結果に基づいて画像から顔が検出されたか否かを判定する（ステップＳ６２）。
【０１７９】
ここで、顔が検出されていないと判定した場合、ＣＰＵ１０は、通常撮影の場合と同様にして、撮影により得られた画像（原画像）をメモリカード４６に記録する（ステップＳ６９）。すなわち、撮影により得られた画像に対して所要の圧縮処理を施した後（必要に応じて非圧縮）、所定フォーマットの画像ファイルとしてメモリカード４６に記録する（ステップＳ６９）。
【０１８０】
一方、顔が検出されていると判定すると、ＣＰＵ１０は、個人認証の処理を行う（ステップＳ６３）。すなわち、撮影画像の画像データを個人識別部５８に加えて、個人を識別させる。そして、その個人識別部５８における個人認証の結果に基づいて該当者の有無を判定する（ステップＳ６４）。
【０１８１】
この判定の結果、登録された人物が画像中に含まれていると判定すると、ＣＰＵ１０は、その個人識別部５８による識別結果の情報（識別された人物の登録者情報）をテンプレート選択部６０に加える。テンプレート選択部６０は、入力された登録者情報に基づいて、該当する人物のテンプレートの情報をデータベースから検索し、その結果をＣＰＵ１０に出力する（ステップＳ６５）。
【０１８２】
ＣＰＵ１０は、得られたテンプレート情報に基づいて使用するテンプレートを特定し、撮影画像の画像データとともに、画像合成部６２に入力する。また、顔検出部５６による顔検出結果に基づいて合成するテンプレートの大きさ（枠の大きさ）、及び、合成する位置を算出する。そして、その情報を画像合成部６２に入力する。画像合成部６２は、このＣＰＵ１０からの指示に応じて、テンプレートに所要の変形処理を施し、撮影画像に合成する（ステップＳ６８）。
【０１８３】
なお、ステップＳ６４において、該当する人物がいないと判定すると（画像に登録された人物が含まれていないと判定すると）、ＣＰＵ１０は、あらかじめ用意された標準のテンプレートを選択し（ステップＳ６７）、撮影画像の画像データとともに、画像合成部６２に入力する。また、顔検出部５６による顔検出結果に基づいて合成するテンプレートの大きさ（枠の大きさ）、及び、合成する位置を算出する。そして、その情報を画像合成部６２に入力する。画像合成部６２は、このＣＰＵ１０からの指示に応じて、テンプレートに所要の変形処理を施し、撮影画像に合成する（ステップＳ６８）。
【０１８４】
合成により生成された画像（合成画像）の画像データは、一旦ＲＡＭ１６に格納され、その後、圧縮／伸張処理部４２で所要の圧縮処理が施された後（必要に応じて非圧縮）、所定形式の画像ファイルとしてメモリカード４６に記録される。
【０１８５】
以上説明したように、本実施の形態のデジタルカメラでは、本撮影された画像に対して個人認証が行われる。そして、本撮影された画像にあらかじめ登録された人物が含まれていると、その人物に固有のテンプレートが撮影画像に合成され（本例では枠状のテンプレートで顔が囲われるように合成される。）、生成された合成画像がメモリカード４６に記録される。この結果、当該画像を再生すると、撮影された人物に固有のテンプレートが合成された画像が再生される（図６参照）。これにより、画像の再生時に写されている人物の特定を容易に行うことができるようになる。また、画像の娯楽性を高めることもできる。
【０１８６】
なお、上記の例では、あらかじめ登録された人物以外の人物が検出された場合にもテンプレート（標準のテンプレート）を合成しているが、あらかじめ登録された人物以外の人物に対してはテンプレートの合成は行わず、あらかじめ登録された人物に対してのみ対応するテンプレートを合成するようにしてもよい。
【０１８７】
また、上記例では、合成するテンプレートとして、枠状に形成されたものを使用し、検出された人物の顔を囲うように合成しているが、合成するテンプレートは、これに限定されるものではない。たとえば、所定の文字や図形、記号等をテンプレートとして用いるようにしてもよい（図２０参照）。この場合、テンプレートを合成する位置については、特定の位置に合成するようにしてもよいし、また、上記の例のように顔の周囲に合成するようにしてもよい。
【０１８８】
また、上記第２の実施の形態のデジタルカメラのように、個人の識別に加えて、識別した人物の表情を判別し、表情に応じて合成するテンプレートを切り替えるようにしてもよい。
【０１８９】
なお、本実施の形態のデジタルカメラにおいても、上記第１の実施の形態のデジタルカメラのように、個人識別モードに設定すると、スルー画像からあらかじめ登録された人物が検出され、あらかじめ登録された人物が検出されると、その人物の顔が、その人物に固有の枠（テンプレート）で囲われて、スルー画像が表示されるようにしてもよい。
【０１９０】
同様に、上記第２の実施の形態のように、個人識別モードに設定すると、スルー画像からあらかじめ登録された人物が検出され、あらかじめ登録された人物が検出されると、その人物の表情が判別され、その表情に対応した枠（テンプレート）で顔が囲われて、スルー画像が表示されるようにしてもよい。
【０１９１】
また、上記実施の形態では、テンプレート合成モードに設定すると、合成画像のみがメモリカード４６に記録されるが、原画像と合成画像の双方をメモリカード４６に記録するようにしてもよい。また、記録する画像を撮影者が選択できるようにしてもよい。
【０１９２】
図１４は、画像を選択して記録する場合の撮影、記録の処理の手順を示すフローチャートである。
【０１９３】
なお、同図に示すように、ステップＳ６０〜ステップＳ６８までの処理は、図１３に示した撮影、記録の処理の手順と同じなので、ここでは、ステップＳ６８の合成画像の生成後の処理から説明する。
【０１９４】
また、本例では、選択に応じて原画像も記録されることから、画像合成後も原画像の画像データはＲＡＭ１６に保持される。
【０１９５】
合成画像が生成されると（ステップＳ６８）、生成された合成画像がモニタ５０にプレ表示される（ステップＳ７０）。すなわち、ＣＰＵ１０は、画像合成部６２で生成された合成画像をＶＲＡＭ２０に加え、ＶＲＡＭ２０から表示制御部４８を介してモニタ５０に表示させる。
【０１９６】
この後、ＣＰＵ１０は、ユーザが設定した画像の記録方法に従って画像を記録する。
【０１９７】
ここで、画像の記録方法は、あらかじめ設定されているものとし、この設定に従ってＣＰＵ１０は画像の記録を行う。
【０１９８】
画像の記録方法の設定は、メニュー画面で行われる。すなわち、操作部１２に備えられたメニューボタンを押下すると、モニタ５０にメニュー画面が表示され、そのメニュー画面に表示されたメニュー項目の中から「画像の記録方法の設定」の項目を選択すると、画像の記録方法の設定画面が表示され、この画像の記録方法の設定画面で画像の記録方法の設定が行われる。
【０１９９】
図１５は、画像の記録方法の設定画面の一例を示している。この例では、「原画像のみ記録」、「合成画像のみ記録」、「原画像と合成画像の両方を記録」の３つの選択項目が画面上に一覧表示され、この中の一つを選択して、画像の記録方法を設定するようにされている。選択は、たとえば、十字ボタンでカーソルを選択する項目の上に移動させ、ＯＫボタンを押下することにより行われる。設定された情報は、ＥＥＰＲＯＭ１８に記録される。
【０２００】
ＣＰＵ１０は、このＥＥＰＲＯＭ１８に記録された画像の記録方法の設定情報に従って画像を記録する。
【０２０１】
この場合、まず、ＥＥＰＲＯＭ１８に記録された画像の記録方法の設定情報に基づいて、原画像のみを記録するか否か判定する（ステップＳ７１）。
【０２０２】
この判定で原画像のみを記録すると判定すると、ＣＰＵ１０は、原画像のみをメモリカード４６に記録する（ステップＳ７５）。すなわち、原画像の画像データに対して、所要の圧縮処理を施した後（必要に応じて非圧縮）、所定形式の画像ファイルとしてメモリカード４６に記録する。
【０２０３】
一方、原画像のみを記録しないと判定すると、次に、ＣＰＵ１０は、合成画像のみを記録するか否か判定する（ステップＳ７２）。
【０２０４】
この判定で合成画像のみを記録すると判定すると、ＣＰＵ１０は、合成画像のみをメモリカード４６に記録する（ステップＳ７４）。すなわち、合成画像の画像データに対して、所要の圧縮処理を施した後（必要に応じて非圧縮）、所定形式の画像ファイルとしてメモリカード４６に記録する。
【０２０５】
一方、合成画像のみを記録しないと判定すると、ＣＰＵ１０は、合成画像と原画像の双方をメモリカード４６に記録する（ステップＳ７３）。すなわち、合成画像の画像データに対して、所要の圧縮処理を施した後（必要に応じて非圧縮）、所定形式の画像ファイルとしてメモリカード４６に記録するとともに、原画像の画像データに対して、所要の圧縮処理を施した後（必要に応じて非圧縮）、所定形式の画像ファイルとしてメモリカード４６に記録する。
【０２０６】
これにより、ユーザの好みの方法で画像を記録することができる。
【０２０７】
なお、上記の例では、画像の記録方法をユーザがあらかじめ設定しているが、撮影の都度、選択するようにしてもよい。すなわち、合成画像をプレ表示後、画像の記録方法をユーザに問い合わせ、ユーザからの指示に従って画像をメモリカード４６に記録するようにしてもよい。
【０２０８】
この場合、たとえば、図１６に示すように、原画像と合成画像の双方をモニタ５０にプレ表示し、画像の記録方法を選択させるようにしてもよい。また、いずれの画像も記録しないことを選択できるようにしてもよい。
【０２０９】
また、上記の例では、合成画像をプレ表示させているが、撮影画像（原画像）をプレ表示させるようにしてもよい。この場合、原画像のプレ表示後に設定された画像の記録方法に応じて画像の合成処理を実行し、画像の記録を行う。
【０２１０】
図１７は、原画像のプレ表示後に画像の合成処理を行って画像の記録を行う場合の処理の手順を示すフローチャートである。
【０２１１】
なお、同図に示すように、ステップＳ６０〜ステップＳ６７までの処理は、図１３に示した撮影、記録の処理の手順と同じなので、ここでは、ステップＳ６６又はステップＳ６７のテンプレートの選択後の処理から説明する。
【０２１２】
テンプレートの選択が行われると、ＣＰＵ１０は、原画像をモニタ５０にプレ表示する（ステップＳ８０）。
【０２１３】
この後、ＣＰＵ１０は、ユーザが設定した画像の記録方法に従って画像を記録する。
【０２１４】
まず、ＥＥＰＲＯＭ１８に記録された画像の記録方法の設定情報に基づいて、原画像のみを記録するか否か判定する（ステップＳ８１）。
【０２１５】
この判定で原画像のみを記録すると判定すると、ＣＰＵ１０は、原画像のみをメモリカード４６に記録する（ステップＳ８５）。
【０２１６】
一方、原画像のみを記録しないと判定すると、次に、ＣＰＵ１０は、合成画像のみを記録するか否か判定する（ステップＳ８２）。
【０２１７】
この判定で合成画像のみを記録すると判定すると、ＣＰＵ１０は、画像の合成処理を行い（ステップＳ８６）、生成された合成画像のみをメモリカード４６に記録する（ステップＳ７４）。
【０２１８】
一方、合成画像のみを記録しないと判定すると、ＣＰＵ１０は、まず、原画像をメモリカード４６に記録する（ステップＳ８３）。次に、ＣＰＵ１０は、画像の合成処理を行い（ステップＳ８４）、生成された合成画像をメモリカード４６に記録する（ステップＳ７５）。
【０２１９】
このように、原画像のプレ表示後に画像の合成処理を行って画像の記録を行うこともできる。この場合、原画像のみの記録が選択されている場合、画像の合成処理が不要になるので、記録処理を高速化することができる。
【０２２０】
なお、本例においても、上記第１の実施の形態のデジタルカメラのように、スルー画像の表示段階で個人認証を行い、個人に対応したテンプレートを合成して、スルー画像を表示するようにしてもよい。
【０２２１】
また、上記の例では、カメラを専用のモード（テンプレート合成モード）に設定した場合についてのみ行われるようにしているが、常に撮影画像に対してテンプレートの合成処理を行って記録するようにしてもよい。
【０２２２】
次に本発明が適用されたデジタルカメラの第４の実施の形態について説明する。
【０２２３】
本実施の形態のデジタルカメラは、本撮影された画像に対して個人認証を行い、あらかじめ登録された人物が含まれている場合は、その人物に固有のテンプレートを選択し、当該テンプレートの情報を撮影画像に付加して、撮影画像をメモリカードに記録する。そして、画像再生時は、当該テンプレートの情報を読み出し、所要の合成処理を行ってモニタに再生表示する。
【０２２４】
なお、カメラの構成や認識すべき人物の登録方法については、上述した第１の実施の形態のデジタルカメラ１と同じなので、ここでは、撮影後の画像の記録処理及び再生処理の方法についてのみ説明する。
【０２２５】
なお、上記第３の実施の形態のデジタルカメラと同様に、この処理はカメラを専用のモード（テンプレート合成モード）に設定した場合についてのみ行われる。テンプレート合成モードへの設定方法は、上述した第３の実施の形態のデジタルカメラと同じである。
【０２２６】
図１８は、本実施の形態のデジタルカメラによるテンプレート合成モード時の撮影、記録の処理動作の手順を示すフローチャートである。
【０２２７】
ユーザが本撮影を行うと（ステップＳ９０）、まず、その本撮影により得られた画像（撮影画像）から顔画像の検出が行われる（ステップＳ９１）。すなわち、本撮影により得られた画像信号からＹ／Ｃ信号が生成され、生成されたＹ／Ｃ信号から顔検出部５６で顔領域が検出される。
【０２２８】
ＣＰＵ１０は、顔検出部５６による顔検出の結果に基づいて画像から顔が検出されたか否かを判定する（ステップＳ９２）。
【０２２９】
ここで、顔が検出されていないと判定した場合、ＣＰＵ１０は、通常撮影の場合と同様にして、撮影により得られた画像（原画像）をメモリカード４６に記録する（ステップＳ９９）。すなわち、撮影により得られた画像（原画像）に対して所定の圧縮処理を施した後（必要に応じて非圧縮）、所定フォーマットの画像ファイルとしてメモリカード４６に記録する（ステップＳ９９）。
【０２３０】
一方、顔が検出されていると判定すると、ＣＰＵ１０は、個人認証の処理を行う（ステップＳ９３）。すなわち、撮影画像の画像データを個人識別部５８に加えて、個人を識別させる。そして、その個人識別部５８における個人認証の結果に基づいて該当者の有無を判定する（ステップＳ９４）。
【０２３１】
この判定の結果、登録された人物が画像中に含まれていると判定すると、ＣＰＵ１０は、その個人識別部５８による識別結果の情報（識別された人物の登録者情報）をテンプレート選択部６０に加える。テンプレート選択部６０は、入力された登録者情報に基づいて、該当する人物のテンプレートの情報をデータベースから検索し、その結果をＣＰＵ１０に出力する（ステップＳ６５）。
【０２３２】
ＣＰＵ１０は、得られたテンプレート情報を撮影画像の画像データに付加する（ステップＳ６６）。すなわち、本実施の形態のデジタルカメラでは、撮影により得られた画像（原画像）に対して所定の圧縮処理を施した後（必要に応じて非圧縮）、所定フォーマットの画像ファイルが生成されるが、その画像ファイルを生成する際、画像ファイルにテンプレート情報が付加される。たとえば、Ｅｘｉｆ形式の画像ファイルであれば、所定のタグ領域にテンプレート情報が格納される。この他のファイル形式の場合であっても、たとえば、ヘッダにテンプレート情報が格納される。そして、このように生成された画像ファイルがメモリカード４６に記録される（ステップＳ９９）。
【０２３３】
なお、ステップＳ９４において、該当する人物がいないと判定すると（画像に登録された人物が含まれていないと判定すると）、ＣＰＵ１０は、あらかじめ用意された標準のテンプレートを選択し（ステップＳ９７）、撮影画像に付加して（ステップＳ９８）、撮影画像をメモリカード４６に記録する（ステップＳ９９）。
【０２３４】
以上説明したように、本実施の形態のデジタルカメラでは、本撮影された画像に対して個人認証が行われる。そして、本撮影された画像にあらかじめ登録された人物が含まれていると、その人物に固有のテンプレートが選択され、そのテンプレートの情報が撮影画像に付加されて、撮影画像がメモリカード４６に記録される。
【０２３５】
画像の再生時は、この画像ファイルに付加されたテンプレート情報を読み出し、該当するテンプレートを画像に合成して、モニタ５０に再生表示する。以下、この画像の再生時の処理について説明する。
【０２３６】
図１９は、本実施の形態のデジタルカメラにおける画像の再生処理の手順を示すフローチャートである。
【０２３７】
なお、画像の再生は、カメラのモードを再生モードに設定することにより可能になる。再生モードへの設定は、モード切替スイッチにて行われる。
【０２３８】
カメラのモードが再生モードに設定されると、ＣＰＵ１０は、メモリカード４６に最後に記録された画像の画像ファイルを読み出す（ステップＳ１１０）。そして、その画像ファイルにテンプレート情報が付加されているか否かを判定する（ステップＳ１１１）。
【０２３９】
ここで、画像ファイルにテンプレート情報が付加されていないと判定すると、ＣＰＵ１０は、通常の再生処理方法と同様にして、画像をモニタ５０に再生表示する（ステップＳ１１４）。すなわち、圧縮された画像データに対して所要の伸張処理を施した後（画像データが圧縮されている場合のみ）、表示制御部４８を介してモニタ５０に出力される。これにより、画像がモニタ５０に再生表示される。
【０２４０】
一方、画像ファイルにテンプレート情報が付加されていると判定すると、ＣＰＵ１０は、そのテンプレート情報に従ってテンプレートを選択する（ステップＳ１１２）。そして、その選択したテンプレートを再生対象の画像データに合成し、合成画像を生成する（ステップＳ１１３）。
【０２４１】
すなわち、まず、再生対象の画像データに対して所要の伸張処理を施し（再生対象の画像データが圧縮されている場合のみ）、非圧縮の画像データを生成する。そして、その生成した画像データを画像合成部６２に加える。また、選択したテンプレートを画像合成部６２に加える。画像合成部６２は、入力されたテンプレートを再生対象の画像に合成し、合成画像を生成する（ステップＳ１１３）。
【０２４２】
生成された合成画像は、ＶＲＡＭ２０に格納され、ＶＲＡＭ２０から表示制御部４８を介してモニタ５０に出力される。
【０２４３】
これにより、テンプレートが合成された画像がモニタ５０に再生表示される。
【０２４４】
この後、ＣＰＵ１０は、操作部１２からの入力に基づいてコマ送り又はコマ戻しの指示がなされたか否かを判定する（ステップＳ１１５）。そして、コマ送り又はコマ戻しの指示がなされたと判定すると、上記ステップＳ１１０に戻り、次の又は前の画像ファイルを読み出して、上記の再生処理を実行する。
【０２４５】
一方、コマ送り又はコマ戻しの指示がなされていないと判定すると、再生処理の終了が指示されたか否かを判定し（ステップＳ１１６）、指示されたと判定すると、再生処理を終了する。
【０２４６】
このように、本実施の形態のデジタルカメラでは、テンプレートを画像に合成して記録するのではなく、テンプレートの情報を付加して画像（原画像）を記録し、再生時に所要の合成処理を施して、合成画像をモニタ５０に再生表示する。これにより、原画像を損なわずに、画像の記録を行うことができる。
【０２４７】
なお、上記の例では、通常の再生モードの処理として、上記の処理を行うこととしているが、専用のモード（たとえば、テンプレート合成表示モード等）に設定した場合にのみ、上記の処理を行うようにしてもよい。この場合、通常の再生モードに設定された場合は、テンプレート情報が画像に付加されていても、テンプレートの合成処理は行わず、原画像の再生処理のみを実行する。また、たとえば、テンプレート合成表示モードに設定すると、テンプレート情報が付加された画像のみを対象に再生処理を行うようにしてもよい。
【０２４８】
また、上記の例では、登録されていな人物に対してもテンプレート（標準のテンプレート）が決定され、その情報が撮影画像に付加されて、撮影画像が記録されるように構成されているが、顔が検出された場合であっても、登録された人物以外の場合は、テンプレートの選択処理は行わず、通常の撮影画像と同様に記録するようにしてもよい（テンプレート情報は付加せずに記録するようにしてもよい。）。
【０２４９】
また、上記の例では、テンプレートの合成方法については、特に説明していないが、上述した第１の実施の形態と同様に、枠状に形成されたテンプレートで個人認証した人物の顔を囲うように合成するようにしてもよい。この場合、テンプレート情報には、合成するテンプレートの情報と、合成する顔の位置、合成するテンプレートの大きさ等の情報も付加する。
【０２５０】
また、枠状に形成されたテンプレートを合成する場合に限らず、たとえば、図２０に示すように、所定の文字や図形、記号等をテンプレートとして用いるようにしてもよい。この場合、テンプレートを合成する位置については、特定の位置に合成するようにしてもよいし、また、上記の例のように顔の周囲に合成するようにしてもよい。
【０２５１】
また、上記第２の実施の形態のデジタルカメラのように、個人の識別に加えて、識別した人物の表情を判別し、表情に応じて合成するテンプレートを切り替えるようにしてもよい。
【０２５２】
さらに、本実施の形態のデジタルカメラにおいても、上記第１、第２の実施の形態のデジタルカメラのように、スルー画像の段階で個人認証、表情判別を行い、検出された人物、表情に対応したテンプレートを合成して、スルー画像を表示するようにしてもよい。
【０２５３】
また、画像の記録方法として、テンプレート情報の記録の要否をユーザが選択できるようにしてもよい。この場合、記録の要否の選択は、画像を撮影するたびに行うようにしてもよいし、また、あらかじめ設定しておくようにしてもよい。
【０２５４】
なお、上記実施の形態のデジタルカメラでは、顔検出部、個人識別部、テンプレート選択部、画像合成部等をハードウェア回路で構成しているが、同機能をソフトウェアで実現するようにしてもよい。この場合、一部の機能のみをソフトウェアで実現するようにしてもよい。
【０２５５】
また、上記一連の実施の形態では、本発明をデジタルカメラに適用した場合を例に説明したが、本発明の適用は、これに限定されるものではなく、カメラ付き携帯電話機等の撮影機能を備えた機器全般に適用することができる。
【図面の簡単な説明】
【０２５６】
【図１】本発明が適用されたデジタルカメラの電気的構成を示すブロック図
【図２】データベースの構成の概念図
【図３】画像合成の一例を示す図
【図４】個人認証を行う人物の登録処理の手順を示すフローチャート
【図５】個人識別モード時におけるスルー画像の表示処理の手順を示すフローチャート
【図６】スルー画像の表示例を示す図
【図７】第２の実施の形態のデジタルカメラの電気的構成を示すブロック図
【図８】データベースの構成の概念図
【図９】第２の実施の形態のデジタルカメラにおけるスルー画像の表示処理の手順を示すフローチャート
【図１０】スルー画像の表示例を示す図
【図１１】複数の人物が識別された場合のスルー画像の表示例を示す図
【図１２】表情の判別レベルの設定画面の表示例を示す図
【図１３】第３の実施の形態のデジタルカメラにおけるテンプレート合成モード時の撮影、記録の処理動作の手順を示すフローチャート
【図１４】画像を選択して記録する場合の撮影、記録の処理の手順を示すフローチャート
【図１５】画像の記録方法の設定画面の表示例を示す図
【図１６】画像の記録方法の選択画面の表示例を示す図
【図１７】原画像のプレ表示後に画像の合成処理を行って画像の記録を行う場合の処理の手順を示すフローチャート
【図１８】第４の実施の形態のデジタルカメラによるテンプレート合成モード時の撮影、記録の処理動作の手順を示すフローチャート
【図１９】第４の実施の形態のデジタルカメラにおける画像の再生処理の手順を示すフローチャート
【図２０】画像合成の他の一例を示す図
【符号の説明】
【０２５７】
１、１ａ…デジタルカメラ、１０…ＣＰＵ、１２…操作部、１４…ＲＯＭ、１６…ＲＡＭ、１８…ＥＥＰＲＯＭ、２０…ＶＲＡＭ、２４…撮影光学系、３０…撮像素子、３２…タイミングジェネレータ、３４…アナログ信号処理部、３６…Ａ／Ｄコンバータ、３８…画像入力コントローラ、４０…画像信号処理部、４２…圧縮／伸張処理部、４４…メディアコントローラ、４６…メモリカード、４８…表示制御部、５０…モニタ、５２…ＡＥ検出部、５４…ＡＦ検出部、５６…顔検出部、５８…個人識別部、６０…テンプレート選択部、６２…画像合成部、６４…ストロボ制御部、６６…ストロボ、６８…電源制御部、７０…バッテリ、７２…表情判別部
【図１】
0004989362.tif 000002
【図２】
0004989362.tif 000003
【図３】
0004989362.tif 000004
【図４】
0004989362.tif 000005
【図５】
0004989362.tif 000006
【図６】
0004989362.tif 000007
【図７】
0004989362.tif 000008
【図８】
0004989362.tif 000009
【図９】
0004989362.tif 000010
【図１０】
0004989362.tif 000011
【図１１】
0004989362.tif 000012
【図１２】
0004989362.tif 000013
【図１３】
0004989362.tif 000014
【図１４】
0004989362.tif 000015
【図１５】
0004989362.tif 000016
【図１６】
0004989362.tif 000017
【図１７】
0004989362.tif 000018
【図１８】
0004989362.tif 000019
【図１９】
0004989362.tif 000020
【図２０】
0004989362.tif 000021